(57)【要約】  送信電力に関わる処理を効率的に実行する。第１のパラメータを受信し、第２のパラメータを受信する受信部と、タイプ２のパワーヘッドルームを取得する第１のＭＡＣ処理部と、を備え、前記第１のＭＡＣ処理部は、前記第１のパラメータが設定されており、且つ、物理上りリンク制御チャネル（ＰＵＣＣＨ）および物理上りリンク共用チャネル（ＰＵＳＣＨ）での同時送信が設定されている場合には、プライマリーセルに対する前記タイプ２のパワーヘッドルームの値を取得し、前記第２のパラメータが設定されている場合には、物理上りリンク制御チャネル（ＰＵＣＣＨ）および物理上りリンク共用チャネル（ＰＵＳＣＨ）での同時送信が設定されているかどうかに関わらず、前記プライマリーセルに対する前記タイプ２のパワーヘッドルームの値を取得する端末装置。
2017022617.tif 000002
【特許請求の範囲】
【請求項１】
プライマリーセルおよびセカンダリーセルが含まれる複数のサービングセルを用いて、基地局装置と通信する端末装置であって、
第１のＭＡＣコントールエレメント（Ｅｘｔｅｎｄｅｄ  Ｐｏｗｅｒ  Ｈｅａｄｒｏｏｍ  ＭＡＣ  ｃｏｎｔｒｏｌ  ｅｌｅｍｅｎｔ）を用いてパワーヘッドルームを報告することを指示するために用いられる第１のパラメータを受信し、
物理上りリンク制御チャネル（ＰＵＣＣＨ）および物理上りリンク共用チャネル（ＰＵＳＣＨ）での同時送信を指示するために用いられる第２のパラメータを受信する受信部と、
タイプ２のパワーヘッドルームを取得するＭＡＣ処理部と、を備え、
前記ＭＡＣ処理部は、
前記第１のパラメータが設定され、前記セカンダリーセルにＰＵＣＣＨが設定され、且つ、前記ＰＵＣＣＨが設定された前記セカンダリーセルが活性化されていることに基づいて、前記ＰＵＣＣＨが設定された前記セカンダリーセルに対する前記タイプ２のパワーヘッドルームの値を取得し、
前記第１のパラメータが設定され、前記セカンダリーセルに前記ＰＵＣＣＨが設定されておらず、且つ、前記第２のパラメータが前記プライマリーセルに対して設定されていることに基づいて、前記プライマリーセルに対する前記タイプ２のパワーヘッドルームの値を取得する
端末装置。
【請求項２】
前記ＭＡＣ処理部は、
前記プライマリーセルに対する前記タイプ２のパワーヘッドルームの値を取得する
請求項１に記載の端末装置。
【請求項３】
前記ＭＡＣ処理部は、
タイプ１のパワーヘッドルームの値を取得する
請求項１または請求項２に記載の端末装置。
【請求項４】
プライマリーセルおよびセカンダリーセルが含まれる複数のサービングセルを用いて、端末装置と通信する基地局装置であって、
第１のＭＡＣコントールエレメント（Ｅｘｔｅｎｄｅｄ  Ｐｏｗｅｒ  Ｈｅａｄｒｏｏｍ  ＭＡＣ  ｃｏｎｔｒｏｌ  ｅｌｅｍｅｎｔ）を用いてパワーヘッドルームを報告することを指示するために用いられる第１のパラメータを送信し、
物理上りリンク制御チャネル（ＰＵＣＣＨ）および物理上りリンク共用チャネル（ＰＵＳＣＨ）での同時送信を指示するために用いられる第２のパラメータを送信する送信部と、
タイプ２のパワーヘッドルームを受信する受信部と、を備え、
前記受信部は、
前記第１のパラメータを設定し、前記セカンダリーセルにＰＵＣＣＨを設定し、且つ、前記ＰＵＣＣＨを設定した前記セカンダリーセルを活性化したことに基づいて、前記ＰＵＣＣＨを設定した前記セカンダリーセルに対する前記タイプ２のパワーヘッドルームの値を受信し、
前記第１のパラメータが設定し、前記セカンダリーセルに前記ＰＵＣＣＨを設定せず、且つ、前記第２のパラメータを前記プライマリーセルに対して設定したことに基づいて、前記プライマリーセルに対する前記タイプ２のパワーヘッドルームの値を受信する
基地局装置。
【請求項５】
前記受信部は、
前記プライマリーセルに対する前記タイプ２のパワーヘッドルームの値を受信する
請求項４に記載の基地局装置。
【請求項６】
前記受信部は、
タイプ１のパワーヘッドルームの値を受信する
請求項４または請求項５に記載の基地局装置。
【請求項７】
プライマリーセルおよびセカンダリーセルが含まれる複数のサービングセルを用いて、基地局装置と通信する端末装置の通信方法であって、
第１のＭＡＣコントールエレメント（Ｅｘｔｅｎｄｅｄ  Ｐｏｗｅｒ  Ｈｅａｄｒｏｏｍ  ＭＡＣ  ｃｏｎｔｒｏｌ  ｅｌｅｍｅｎｔ）を用いてパワーヘッドルームを報告することを指示するために用いられる第１のパラメータを受信し、
物理上りリンク制御チャネル（ＰＵＣＣＨ）および物理上りリンク共用チャネル（ＰＵＳＣＨ）での同時送信を指示するために用いられる第２のパラメータを受信し、
前記第１のパラメータが設定され、前記セカンダリーセルにＰＵＣＣＨが設定され、且つ、前記ＰＵＣＣＨが設定された前記セカンダリーセルが活性化されていることに基づいて、前記ＰＵＣＣＨが設定された前記セカンダリーセルに対する前記タイプ２のパワーヘッドルームの値を取得し、
前記第１のパラメータが設定され、前記セカンダリーセルに前記ＰＵＣＣＨが設定されておらず、且つ、前記第２のパラメータが前記プライマリーセルに対して設定されていることに基づいて、前記プライマリーセルに対する前記タイプ２のパワーヘッドルームの値を取得する
通信方法。
【請求項８】
プライマリーセルおよびセカンダリーセルが含まれる複数のサービングセルを用いて、端末装置と通信する基地局装置の通信方法であって、
第１のＭＡＣコントールエレメント（Ｅｘｔｅｎｄｅｄ  Ｐｏｗｅｒ  Ｈｅａｄｒｏｏｍ  ＭＡＣ  ｃｏｎｔｒｏｌ  ｅｌｅｍｅｎｔ）を用いてパワーヘッドルームを報告することを指示するために用いられる第１のパラメータを送信し、
物理上りリンク制御チャネル（ＰＵＣＣＨ）および物理上りリンク共用チャネル（ＰＵＳＣＨ）での同時送信を指示するために用いられる第２のパラメータを送信し、
前記第１のパラメータを設定し、前記セカンダリーセルにＰＵＣＣＨを設定し、且つ、前記ＰＵＣＣＨを設定した前記セカンダリーセルを活性化したことに基づいて、前記ＰＵＣＣＨを設定した前記セカンダリーセルに対する前記タイプ２のパワーヘッドルームの値を受信し、
前記第１のパラメータが設定し、前記セカンダリーセルに前記ＰＵＣＣＨを設定せず、且つ、前記第２のパラメータを前記プライマリーセルに対して設定したことに基づいて、前記プライマリーセルに対する前記タイプ２のパワーヘッドルームの値を受信する
通信方法。
【請求項９】
プライマリーセルおよびセカンダリーセルが含まれる複数のサービングセルを用いて、基地局装置と通信する端末装置に搭載される集積回路であって、
第１のＭＡＣコントールエレメント（Ｅｘｔｅｎｄｅｄ  Ｐｏｗｅｒ  Ｈｅａｄｒｏｏｍ  ＭＡＣ  ｃｏｎｔｒｏｌ  ｅｌｅｍｅｎｔ）を用いてパワーヘッドルームを報告することを指示するために用いられる第１のパラメータを受信し、
物理上りリンク制御チャネル（ＰＵＣＣＨ）および物理上りリンク共用チャネル（ＰＵＳＣＨ）での同時送信を指示するために用いられる第２のパラメータを受信する機能と、
前記第１のパラメータが設定され、前記セカンダリーセルにＰＵＣＣＨが設定され、且つ、前記ＰＵＣＣＨが設定された前記セカンダリーセルが活性化されていることに基づいて、前記ＰＵＣＣＨが設定された前記セカンダリーセルに対する前記タイプ２のパワーヘッドルームの値を取得し、
前記第１のパラメータが設定され、前記セカンダリーセルに前記ＰＵＣＣＨが設定されておらず、且つ、前記第２のパラメータが前記プライマリーセルに対して設定されていることに基づいて、前記プライマリーセルに対する前記タイプ２のパワーヘッドルームの値を取得する機能と、を前記端末装置に発揮させる
集積回路。
【請求項１０】
プライマリーセルおよびセカンダリーセルが含まれる複数のサービングセルを用いて、端末装置と通信する基地局装置に搭載される集積回路であって、
第１のＭＡＣコントールエレメント（Ｅｘｔｅｎｄｅｄ  Ｐｏｗｅｒ  Ｈｅａｄｒｏｏｍ  ＭＡＣ  ｃｏｎｔｒｏｌ  ｅｌｅｍｅｎｔ）を用いてパワーヘッドルームを報告することを指示するために用いられる第１のパラメータを送信し、
物理上りリンク制御チャネル（ＰＵＣＣＨ）および物理上りリンク共用チャネル（ＰＵＳＣＨ）での同時送信を指示するために用いられる第２のパラメータを送信する機能と、
前記第１のパラメータを設定し、前記セカンダリーセルにＰＵＣＣＨを設定し、且つ、前記ＰＵＣＣＨを設定した前記セカンダリーセルを活性化したことに基づいて、前記ＰＵＣＣＨを設定した前記セカンダリーセルに対する前記タイプ２のパワーヘッドルームの値を受信し、
前記第１のパラメータが設定し、前記セカンダリーセルに前記ＰＵＣＣＨを設定せず、且つ、前記第２のパラメータを前記プライマリーセルに対して設定したことに基づいて、前記プライマリーセルに対する前記タイプ２のパワーヘッドルームの値を受信する機能と、を前記基地局装置に発揮させる
集積回路。
【発明の詳細な説明】
【技術分野】
【０００１】
本発明は、端末装置、基地局装置、通信方法、および、集積回路に関する。
本願は、２０１５年８月５日に、日本に出願された特願２０１５−１５４６５２号に基づき優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。ここで、単一の基地局装置は複数のセルを管理してもよい。【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤにおいて、上りリンク信号と下りリンク信号が時分割多重される。また、ＬＴＥは、周波数分割複信（Frequency Division Duplex: FDD）に対応している。【０００４】
３ＧＰＰにおいて、端末装置が５つまでのサービングセル（コンポーネントキャリア）において、同時に送信、および／または、受信を行うことができるキャリアアグリゲーションが仕様化されている。【０００５】
また、３ＧＰＰにおいて、端末装置が５つを超えたサービングセル（コンポーネントキャリア）において、同時に送信、および／または、受信を行うことが検討されている。さらに、端末装置が、プライマリーセル以外のサービングセルであるセカンダリーセルにおいて、物理上りリンク制御チャネルでの送信を行うことが検討されている（非特許文献１）。
【先行技術文献】
【非特許文献】
【０００６】
【非特許文献１】"New WI proposal: LTE Carrier Aggregation Enhancement Beyond 5 Carriers", RP-142286, Nokia Corporation, NTT DoCoMo Inc., Nokia Networks, 3GPP TSG RAN Meeting #66, Hawaii, United States of America, 8th - 11th December 2014.
【発明の概要】
【発明が解決しようとする課題】
【０００７】
しかしながら、上述のような無線通信システムにおいて、端末装置が、送信電力に関わる処理を実行する際の具体的な方法は十分に検討されていなかった。【０００８】
本発明は上記の点に鑑みてなされたものであり、その目的は、端末装置が、送信電力に関わる処置を効率的に実行することができる端末装置、基地局装置、通信方法、および、集積回路を提供することを目的とする。
【課題を解決するための手段】
【０００９】
（１）上記の目的を達成するために、本発明の態様は、以下のような手段を講じた。すなわち、本発明の一様態における端末装置は、プライマリーセルおよびセカンダリーセルが含まれる複数のサービングセルを用いて、基地局装置と通信する端末装置であって、第１のＭＡＣコントールエレメント（Ｅｘｔｅｎｄｅｄ  Ｐｏｗｅｒ  Ｈｅａｄｒｏｏｍ  ＭＡＣ  ｃｏｎｔｒｏｌ  ｅｌｅｍｅｎｔ）を用いてパワーヘッドルームを報告することを指示するために用いられる第１のパラメータを受信し、物理上りリンク制御チャネル（ＰＵＣＣＨ）および物理上りリンク共用チャネル（ＰＵＳＣＨ）での同時送信を指示するために用いられる第２のパラメータを受信する受信部と、タイプ２のパワーヘッドルームを取得するＭＡＣ処理部と、を備え、前記ＭＡＣ処理部は、前記第１のパラメータが設定され、前記セカンダリーセルにＰＵＣＣＨが設定され、且つ、前記ＰＵＣＣＨが設定された前記セカンダリーセルが活性化されていることに基づいて、前記ＰＵＣＣＨが設定された前記セカンダリーセルに対する前記タイプ２のパワーヘッドルームの値を取得し、前記第１のパラメータが設定され、前記セカンダリーセルに前記ＰＵＣＣＨが設定されておらず、且つ、前記第２のパラメータが前記プライマリーセルに対して設定されていることに基づいて、前記プライマリーセルに対する前記タイプ２のパワーヘッドルームの値を取得する。【００１０】
（２）また、本発明の一様態における基地局装置は、プライマリーセルおよびセカンダリーセルが含まれる複数のサービングセルを用いて、端末装置と通信する基地局装置であって、第１のＭＡＣコントールエレメント（Ｅｘｔｅｎｄｅｄ  Ｐｏｗｅｒ  Ｈｅａｄｒｏｏｍ  ＭＡＣ  ｃｏｎｔｒｏｌ  ｅｌｅｍｅｎｔ）を用いてパワーヘッドルームを報告することを指示するために用いられる第１のパラメータを送信し、物理上りリンク制御チャネル（ＰＵＣＣＨ）および物理上りリンク共用チャネル（ＰＵＳＣＨ）での同時送信を指示するために用いられる第２のパラメータを送信する送信部と、タイプ２のパワーヘッドルームを受信する受信部と、を備え、前記受信部は、前記第１のパラメータを設定し、前記セカンダリーセルにＰＵＣＣＨを設定し、且つ、前記ＰＵＣＣＨを設定した前記セカンダリーセルを活性化したことに基づいて、前記ＰＵＣＣＨを設定した前記セカンダリーセルに対する前記タイプ２のパワーヘッドルームの値を受信し、前記第１のパラメータが設定し、前記セカンダリーセルに前記ＰＵＣＣＨを設定せず、且つ、前記第２のパラメータを前記プライマリーセルに対して設定したことに基づいて、前記プライマリーセルに対する前記タイプ２のパワーヘッドルームの値を受信する。【００１１】
（３）また、本発明の一様態における端末装置の通信方法は、プライマリーセルおよびセカンダリーセルが含まれる複数のサービングセルを用いて、基地局装置と通信する端末装置の通信方法であって、第１のＭＡＣコントールエレメント（Ｅｘｔｅｎｄｅｄ  Ｐｏｗｅｒ  Ｈｅａｄｒｏｏｍ  ＭＡＣ  ｃｏｎｔｒｏｌ  ｅｌｅｍｅｎｔ）を用いてパワーヘッドルームを報告することを指示するために用いられる第１のパラメータを受信し、物理上りリンク制御チャネル（ＰＵＣＣＨ）および物理上りリンク共用チャネル（ＰＵＳＣＨ）での同時送信を指示するために用いられる第２のパラメータを受信し、前記第１のパラメータが設定され、前記セカンダリーセルにＰＵＣＣＨが設定され、且つ、前記ＰＵＣＣＨが設定された前記セカンダリーセルが活性化されていることに基づいて、前記ＰＵＣＣＨが設定された前記セカンダリーセルに対する前記タイプ２のパワーヘッドルームの値を取得し、前記第１のパラメータが設定され、前記セカンダリーセルに前記ＰＵＣＣＨが設定されておらず、且つ、前記第２のパラメータが前記プライマリーセルに対して設定されていることに基づいて、前記プライマリーセルに対する前記タイプ２のパワーヘッドルームの値を取得する。【００１２】
（４）また、本発明の一様態における基地局装置の通信方法は、プライマリーセルおよびセカンダリーセルが含まれる複数のサービングセルを用いて、端末装置と通信する基地局装置の通信方法であって、第１のＭＡＣコントールエレメント（Ｅｘｔｅｎｄｅｄ  Ｐｏｗｅｒ  Ｈｅａｄｒｏｏｍ  ＭＡＣ  ｃｏｎｔｒｏｌ  ｅｌｅｍｅｎｔ）を用いてパワーヘッドルームを報告することを指示するために用いられる第１のパラメータを送信し、物理上りリンク制御チャネル（ＰＵＣＣＨ）および物理上りリンク共用チャネル（ＰＵＳＣＨ）での同時送信を指示するために用いられる第２のパラメータを送信し、前記第１のパラメータを設定し、前記セカンダリーセルにＰＵＣＣＨを設定し、且つ、前記ＰＵＣＣＨを設定した前記セカンダリーセルを活性化したことに基づいて、前記ＰＵＣＣＨを設定した前記セカンダリーセルに対する前記タイプ２のパワーヘッドルームの値を受信し、前記第１のパラメータが設定し、前記セカンダリーセルに前記ＰＵＣＣＨを設定せず、且つ、前記第２のパラメータを前記プライマリーセルに対して設定したことに基づいて、前記プライマリーセルに対する前記タイプ２のパワーヘッドルームの値を受信する。【００１３】
（５）また、本発明の一様態における集積回路は、プライマリーセルおよびセカンダリーセルが含まれる複数のサービングセルを用いて、基地局装置と通信する端末装置に搭載される集積回路であって、第１のＭＡＣコントールエレメント（Ｅｘｔｅｎｄｅｄ  Ｐｏｗｅｒ  Ｈｅａｄｒｏｏｍ  ＭＡＣ  ｃｏｎｔｒｏｌ  ｅｌｅｍｅｎｔ）を用いてパワーヘッドルームを報告することを指示するために用いられる第１のパラメータを受信し、物理上りリンク制御チャネル（ＰＵＣＣＨ）および物理上りリンク共用チャネル（ＰＵＳＣＨ）での同時送信を指示するために用いられる第２のパラメータを受信する機能と、前記第１のパラメータが設定され、前記セカンダリーセルにＰＵＣＣＨが設定され、且つ、前記ＰＵＣＣＨが設定された前記セカンダリーセルが活性化されていることに基づいて、前記ＰＵＣＣＨが設定された前記セカンダリーセルに対する前記タイプ２のパワーヘッドルームの値を取得し、前記第１のパラメータが設定され、前記セカンダリーセルに前記ＰＵＣＣＨが設定されておらず、且つ、前記第２のパラメータが前記プライマリーセルに対して設定されていることに基づいて、前記プライマリーセルに対する前記タイプ２のパワーヘッドルームの値を取得する機能と、を前記端末装置に発揮させる。【００１４】
（６）また、本発明の一様態における集積回路は、プライマリーセルおよびセカンダリーセルが含まれる複数のサービングセルを用いて、端末装置と通信する基地局装置に搭載される集積回路であって、第１のＭＡＣコントールエレメント（Ｅｘｔｅｎｄｅｄ  Ｐｏｗｅｒ  Ｈｅａｄｒｏｏｍ  ＭＡＣ  ｃｏｎｔｒｏｌ  ｅｌｅｍｅｎｔ）を用いてパワーヘッドルームを報告することを指示するために用いられる第１のパラメータを送信し、物理上りリンク制御チャネル（ＰＵＣＣＨ）および物理上りリンク共用チャネル（ＰＵＳＣＨ）での同時送信を指示するために用いられる第２のパラメータを送信する機能と、前記第１のパラメータを設定し、前記セカンダリーセルにＰＵＣＣＨを設定し、且つ、前記ＰＵＣＣＨを設定した前記セカンダリーセルを活性化したことに基づいて、前記ＰＵＣＣＨを設定した前記セカンダリーセルに対する前記タイプ２のパワーヘッドルームの値を受信し、前記第１のパラメータが設定し、前記セカンダリーセルに前記ＰＵＣＣＨを設定せず、且つ、前記第２のパラメータを前記プライマリーセルに対して設定したことに基づいて、前記プライマリーセルに対する前記タイプ２のパワーヘッドルームの値を受信する機能と、を前記基地局装置に発揮させる。
【発明の効果】
【００１５】
この発明によれば、端末装置が、送信電力に関わる処理を効率的に実行することができる。
【図面の簡単な説明】
【００１６】
【図１】本実施形態における無線通信システムの概念を示す図である。
【図２】本実施形態におけるセルグループを説明するための図である。
【図３】本実施形態における端末装置における動作を説明するための図である。
【図４】本実施形態における端末装置における動作を説明するための別の図である。
【図５】本実施形態における端末装置における動作を説明するための別の図である。
【図６】本実施形態における端末装置１の構成を示す概略ブロック図である。
【図７】本実施形態における基地局装置３の構成を示す概略ブロック図である。
【発明を実施するための形態】
【００１７】
以下、本発明の実施形態について説明する。
【００１８】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１とも称する。
【００１９】
本実施形態における物理チャネルおよび物理信号について説明する。
【００２０】
図１において、端末装置１から基地局装置３への上りリンクの無線通信では、以下の上りリンク物理チャネルが用いられる。ここで、上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２１】
ＰＵＣＣＨは、上りリンク制御情報（Uplink Control Information: UCI）を送信するために用いられる。ここで、上りリンク制御情報には、下りリンクのチャネルの状態を示すために用いられるチャネル状態情報（CSI: Channel State Information）が含まれてもよい。また、上りリンク制御情報には、ＵＬ−ＳＣＨリソースを要求するために用いられるスケジューリング要求（SR: Scheduling Request）が含まれてもよい。また、上りリンク制御情報には、ＨＡＲＱ−ＡＣＫ（Hybrid Automatic Repeat request ACKnowledgement）が含まれてもよい。ここで、ＨＡＲＱ−ＡＣＫは、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫを示してもよい。
【００２２】
すなわち、ＨＡＲＱ−ＡＣＫは、ＡＣＫ（acknowledgement）またはＮＡＣＫ（negative-acknowledgement）を示してもよい。ここで、ＨＡＲＱ−ＡＣＫを、ＡＣＫ／ＮＡＣＫ、ＨＡＲＱフィードバック、ＨＡＲＱ応答、ＨＡＲＱ情報、または、ＨＡＲＱ制御情報とも称する。
【００２３】
ＰＵＳＣＨは、上りリンクデータ（Uplink-Shared Channel: UL-SCH）を送信するために用いられる。また、ＰＵＳＣＨは、上りリンクデータと共にＨＡＲＱ−ＡＣＫおよび／またはＣＳＩを送信するために用いられてもよい。また、ＰＵＳＣＨは、ＣＳＩのみ、または、ＨＡＲＱ−ＡＣＫおよびＣＳＩのみを送信するために用いられてもよい。すなわち、ＰＵＳＣＨは、上りリンク制御情報のみを送信するために用いられてもよい。
【００２４】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Control message、RRC information: Radio Resource Control informationとも称される）を送受信してもよい。また、基地局装置３と端末装置１は、ＭＡＣ（Medium Access Control）層において、ＭＡＣコントロールエレメントを送受信してもよい。ここで、ＲＲＣシグナリング、および／または、ＭＡＣコントロールエレメントを、上位層の信号（higher layer signaling）とも称する。
【００２５】
ＰＵＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であってもよい。すなわち、ユーザー装置スペシフィック（ユーザー装置固有）な情報は、ある端末装置１に対して専用のシグナリングを用いて送信されてもよい。
【００２６】
ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨリソースの要求を示すために用いられてもよい。
【００２７】
図１において、上りリンクの無線通信では、以下の上りリンク物理信号が用いられる。ここで、上りリンク物理信号は、上位層から出力された情報を送信するために使用されないが、物理層によって使用される。
・上りリンク参照信号（Uplink Reference Signal: UL RS）
【００２８】
本実施形態において、以下の２つのタイプの上りリンク参照信号が用いられる。
・ＤＭＲＳ（Demodulation Reference Signal）
・ＳＲＳ（Sounding Reference Signal）
【００２９】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００３０】
ＳＲＳは、ＰＵＳＣＨまたはＰＵＣＣＨの送信に関連しない。基地局装置３は、上りリンクのチャネル状態を測定するためにＳＲＳを使用する。
【００３１】
図１において、基地局装置３から端末装置１への下りリンクの無線通信では、以下の下りリンク物理チャネルが用いられる。ここで、下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００３２】
ＰＢＣＨは、端末装置１で共通に用いられるマスターインフォメーションブロック（Master Information Block: MIB, Broadcast Channel: BCH）を報知するために用いられる。
【００３３】
ＰＣＦＩＣＨは、ＰＤＣＣＨの送信に用いられる領域（ＯＦＤＭシンボル）を指示する情報を送信するために用いられる。
【００３４】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００３５】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００３６】
例えば、下りリンクに対するＤＣＩフォーマットとして、１つのセルにおける１つのＰＤＳＣＨ（１つの下りリンクトランスポートブロックの送信）のスケジューリングのために用いられるＤＣＩフォーマット（例えば、ＤＣＩフォーマット１Ａ、ＤＣＩフォーマット１Ｃ）が定義されてもよい。
【００３７】
ここで、下りリンクに対するＤＣＩフォーマットには、ＰＤＳＣＨのスケジューリングに関する情報が含まれる。例えば、下りリンクに対するＤＣＩフォーマットには、キャリアインディケータフィールド（CIF: Carrier Indicator Field）、リソースブロック割り当てに関する情報、ＭＣＳ（Modulation and Coding Scheme）に関する情報、などの下りリンク制御情報が含まれる。ここで、下りリンクに対するＤＣＩフォーマットを、下りリンクグラント（downlink grant）、または、下りリンクアサインメント（downlink assignment）とも称する。
【００３８】
また、例えば、上りリンクに対するＤＣＩフォーマットとして、１つのセルにおける１つのＰＵＳＣＨ（１つの上りリンクトランスポートブロックの送信）のスケジューリングのために用いられるＤＣＩフォーマット（例えば、ＤＣＩフォーマット０、ＤＣＩフォーマット４）が定義される。
【００３９】
ここで、上りリンクに対するＤＣＩフォーマットには、ＰＵＳＣＨのスケジューリングに関する情報が含まれる。例えば、上りリンクに対するＤＣＩフォーマットには、キャリアインディケータフィールド（CIF:Carrier Indicator Field）、リソースブロック割り当ておよび／またはホッピング（Resource block assignment and/or hopping resource allocation）に関する情報、ＭＣＳおよび／またはリダンダシーバジョン（Modulation and coding scheme and/or redundancy version）に関する情報、送信レイヤの数を指示するために用いられる情報（Precoding information and number of layers）、などの下りリンク制御情報が含まれる。ここで、上りリンクに対するＤＣＩフォーマットを、上りリンクグラント（uplink grant）、または、上りリンクアサインメント（Uplink assignment）とも称する。
【００４０】
端末装置１は、下りリンクアサインメントを用いてＰＤＳＣＨのリソースがスケジュールされた場合、スケジュールされたＰＤＳＣＨで下りリンクデータを受信してもよい。また、端末装置１は、上りリンクグラントを用いてＰＵＳＣＨのリソースがスケジュールされた場合、スケジュールされたＰＵＳＣＨで上りリンクデータおよび／または上りリンク制御情報を送信してもよい。
【００４１】
ここで、端末装置１は、ＰＤＣＣＨ候補（PDCCH candidates）および／またはＥＰＤＣＣＨ候補（EPDCCH candidates）のセットをモニタしてもよい。以下、ＰＤＣＣＨは、ＰＤＣＣＨおよび／またはＥＰＤＤＣＨを示してもよい。ここで、ＰＤＣＣＨ候補とは、基地局装置３によって、ＰＤＣＣＨが、配置および／または送信される可能性のある候補を示している。また、モニタとは、モニタされる全てのＤＣＩフォーマットに応じて、ＰＤＣＣＨ候補のセット内のＰＤＣＣＨのそれぞれに対して、端末装置１がデコードを試みるという意味が含まれてもよい。
【００４２】
また、端末装置１が、モニタするＰＤＣＣＨ候補のセットは、サーチスペースとも称される。サーチスペースには、コモンサーチスペース（CSS: Common Search Space）が含まれてもよい。例えば、ＣＳＳは、複数の端末装置１に対して共通なスペースとして定義されてもよい。また、サーチスペースには、ユーザー装置スペシフィックサーチスペース（USS:UE-specific Search Space）が含まれてもよい。例えば、ＵＳＳは、少なくとも、端末装置１に対して割り当てられるＣ−ＲＮＴＩに基づいて定義されてもよい。端末装置１は、ＣＳＳおよび／またはＵＳＳにおいて、ＰＤＣＣＨをモニタし、自装置宛てのＰＤＣＣＨを検出してもよい。
【００４３】
ここで、下りリンク制御情報の送信（ＰＤＣＣＨでの送信）には、基地局装置３が、端末装置１に割り当てたＲＮＴＩが利用される。具体的には、ＤＣＩフォーマット（下りリンク制御情報でもよい）にＣＲＣ（Cyclic Redundancy check: 巡回冗長検査）パリティ ビットが付加され、付加された後に、ＣＲＣパリティビットがＲＮＴＩによってスクランブルされる。ここで、ＤＣＩフォーマットに付加されるＣＲＣパリティビットは、ＤＣＩフォーマットのペイロードから得られてもよい。
【００４４】
端末装置１は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも称される）。すなわち、端末装置１は、ＲＮＴＩによってスクランブルされたＣＲＣを伴うＰＤＣＣＨを検出してもよい。また、端末装置１は、ＲＮＴＩによってスクランブルされたＣＲＣパリティビットが付加されたＤＣＩフォーマットを伴うＰＤＣＣＨを検出してもよい。
【００４５】
ここで、ＲＮＴＩには、Ｃ−ＲＮＴＩ（Cell-Radio Network Temporary Identifier）が含まれてもよい。Ｃ−ＲＮＴＩは、ＲＲＣ接続およびスケジューリングの識別に対して使用される、端末装置１に対するユニークな（一意的な）識別子である。また、Ｃ−ＲＮＴＩは、動的（dynamically）にスケジュールされるユニキャスト送信のために利用されてもよい。
【００４６】
また、ＲＮＴＩには、ＳＰＳ  Ｃ−ＲＮＴＩ（Semi-Persistent Scheduling C-RNTI）が含まれてもよい。ＳＰＳ  Ｃ−ＲＮＴＩは、セミパーシステントスケジューリングに対して使用される、端末装置１に対するユニークな（一意的な）識別子である。また、ＳＰＳ  Ｃ−ＲＮＴＩは、半持続的（semi-persistently）にスケジュールされるユニキャスト送信のために利用されてもよい。
【００４７】
ＰＤＳＣＨは、下りリンクデータ（Downlink Shared Channel: DL-SCH）を送信するために用いられる。また、ＰＤＳＣＨは、システムインフォメーションメッセージを送信するために用いられる。ここで、システムインフォメーションブメッセージは、セルスペシフィック（セル固有）な情報であってもよい。また、システムインフォメーションは、ＲＲＣシグナリングに含まれる。また、ＰＤＳＣＨは、ＲＲＣシグナリング、および、ＭＡＣコントロールエレメントを送信するために用いられる。
【００４８】
ＰＭＣＨは、マルチキャストデータ（Multicast Channel: MCH）を送信するために用いられる。
【００４９】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・下りリンク参照信号（Downlink Reference Signal: DL RS）
【００５０】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００５１】
下りリンク参照信号は、端末装置１が下りリンク物理チャネルの伝搬路補正を行なうために用いられる。ここで、下りリンク参照信号は、端末装置１が下りリンクのチャネル状態情報を算出するために用いられる。
【００５２】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００５３】
ここで、下りリンク物理チャネルおよび下りリンク物理信号を総称して、下りリンク信号と称する。また、上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００５４】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００５５】
ここで、キャリアアグリゲーションについて詳細に説明する。
【００５６】
本実施形態において、端末装置１に対して、１つまたは複数のサービングセルが設定されてもよい。端末装置１が複数のサービングセルを介して通信する技術をセルアグリゲーション、または、キャリアアグリゲーションと称する。ここで、サービングセルは、単に、セルとも称される。
【００５７】
ここで、本実施形態は、端末装置１に対して設定される１つまたは複数のサービングセルのそれぞれにおいて適用されてもよい。また、本実施形態は、端末装置１に対して設定される１つまたは複数のサービングセルの一部において適用されてもよい。
【００５８】
ここで、１つまたは複数のサービングセルのグループを、セルグループとも称する。すなわち、セルグループは、サービングセルのサブセット（例えば、A subset of the serving cells of a UE）でもよい。本実施形態は、セルグループのそれぞれにおいて適用されてもよい。また、本実施形態は、セルグループの一部において適用されてもよい。例えば、セルグループには、後述する、ＰＵＣＣＨセルグループが含まれてもよい。また、例えば、セルグループには、後述する、デュアルコネクティビティにおける、マスターセルグループおよびセカンダリーセルグループが含まれてもよい。
【００５９】
また、本実施形態において、ＴＤＤ（Time Division Duplex）および／またはＦＤＤ（Frequency Division Duplex）が適用されてもよい。ここで、キャリアアグリゲーションの場合において、１つまたは複数のサービングセルの全てに対してＴＤＤまたはＦＤＤが適用されてもよい。また、キャリアアグリゲーションの場合において、ＴＤＤが適用されるサービングセルとＦＤＤが適用されるサービングセルが集約されてもよい。ここで、ＦＤＤに対応するフレーム構造を、フレーム構造タイプ１（Frame structure type 1）とも称する。また、ＴＤＤに対応するフレーム構造を、フレーム構造タイプ２（Frame structure type 2）とも称する。
【００６０】
ここで、例えば、設定される１つまたは複数のサービングセルには、１つのプライマリーセル（PCell: Primary Cell）と、１つまたは複数のセカンダリーセル（SCell: Secondary Cell）とが含まれる。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルであってもよい。ここで、ＲＲＣコネクションが確立された時点、または、後に、セカンダリーセルが設定されてもよい。
【００６１】
ここで、下りリンクにおいて、サービングセルに対応するキャリアを、下りリンクコンポーネントキャリアと称する。また、上りリンクにおいて、サービングセルに対応するキャリアを、上りリンクコンポーネントキャリアと称する。また、下りリンクコンポーネントキャリア、および、上りリンクコンポーネントキャリアを総称して、コンポーネントキャリアと称する。
【００６２】
また、端末装置１は、１つまたは複数のサービングセル（コンポーネントキャリア）において、同時に複数の物理チャネルでの送信、および／または受信を行ってもよい。ここで、１つの物理チャネルは、複数のサービングセル（コンポーネントキャリア）のうち１つのサービングセル（コンポーネントキャリア）において送信されてもよい。
【００６３】
例えば、基地局装置３および／または端末装置１は、３２までの下りリンクコンポーネントキャリア（下りリンクのセル、up to 32 downlink component carriers）のキャリアアグリゲーションをサポートしてもよい。すなわち、基地局装置３および／または端末装置１は、３２までのサービングセルにおいて、同時に複数の物理チャネルでの送信および／または受信を行うことができる。ここで、上りリンクのコンポーネントキャリアの数は、下りリンクのコンポーネントキャリアの数より少なくてもよい。
【００６４】
また、例えば、基地局装置３および／または端末装置１は、５までの下りリンクコンポーネントキャリア（下りリンクのセル、up to 5 downlink component carriers）のキャリアアグリゲーションをサポートしてもよい。すなわち、基地局装置３および／または端末装置１は、５までのサービングセルにおいて、同時に複数の物理チャネルでの送信および／または受信を行うことができる。ここで、上りリンクのコンポーネントキャリアの数は、下りリンクのコンポーネントキャリアの数より少なくてもよい。
【００６５】
ここで、プライマリーセルは、ＰＵＣＣＨでの送信に対して用いられてもよい。また、プライマリーセルにおいて、コンテンションベースのランダムアクセスプロシージャが実行されてもよい。すなわち、プライマリーセルは、ＰＵＣＣＨでの送信、および／または、コンテンションベースのランダムアクセス（コンテンションベースのランダムアクセスプロシージャ）をサポートしてもよい。
【００６６】
また、プライマリーセルは、非活性化されない。すなわち、プライマリーセルは、常に、活性化されている。また、クロスキャリアスケジューリングは、プライマリーセルに適用されない。すなわち、プライマリーセルは、常に、プライマリーセルにおけるＰＤＣＣＨを用いてスケジュールされる。
【００６７】
ここで、本実施形態において、ＰＵＣＣＨでの送信のために用いられるセカンダリーセルを、ＰＵＣＣＨセカンダリーセル、および、スペシャルセカンダリーセルと称する。また、ＰＵＣＣＨでの送信のために用いられないセカンダリーセルを、非ＰＵＣＣＨセカンダリーセル、非スペシャルセカンダリーセル、非ＰＵＣＣＨサービングセル、および、非ＰＵＣＣＨセルと称する。ここで、ＰＵＣＣＨセカンダリーセルは、プライマリーセル、および、セカンダリーセルでないサービングセルとして定義されてもよい。
【００６８】
すなわち、ＰＵＣＣＨセカンダリーセルは、ＰＵＣＣＨでの送信に対して用いられてもよい。また、ＰＵＣＣＨセカンダリーセルにおいて、コンテンションベースのランダムアクセスプロシージャが実行されてもよい。すなわち、ＰＵＣＣＨセカンダリーセルは、ＰＵＣＣＨでの送信、および／または、コンテンションベースのランダムアクセス（コンテンションベースのランダムアクセスプロシージャ）をサポートしてもよい。
【００６９】
ここで、ＰＵＣＣＨセカンダリーセルにおいて、コンテンションベースのランダムアクセスプロシージャが実行されてなくてもよい。すなわち、ＰＵＣＣＨセカンダリーセルは、ＰＵＣＣＨでの送信をサポートし、コンテンションベースのランダムアクセス（コンテンションベースのランダムアクセスプロシージャ）をサポートしなくてもよい。
【００７０】
また、後述するように、ＰＵＣＣＨセカンダリーセルは、活性化、および／または、非活性化されてもよい。また、クロスキャリアスケジューリングは、ＰＵＣＣＨセカンダリーセルに適用されなくてもよい。すなわち、ＰＵＣＣＨセカンダリーセルは、常に、ＰＵＣＣＨセカンダリーセルにおけるＰＤＣＣＨを用いてスケジュールされてもよい。ここで、クロスキャリアスケジューリングは、ＰＵＣＣＨセカンダリーセルに適用されてもよい。すなわち、ＰＵＣＣＨセカンダリーセルは、１つの他のサービングセルにおけるＰＤＣＣＨを用いてスケジュールされてもよい。
【００７１】
ここで、基地局装置３は、端末装置１に対して、デュアルコネクティビティ（dual connectivity）に関連するセルグループ（例えば、マスターセルグループ、および／または、セカンダリーセルグループ）を設定してもよい。例えば、基地局装置３は、上位層の信号に含まれる情報（パラメータ）を用いることによって、デュアルコネクティビティに関連するセルグループを設定してもよい。
【００７２】
ここで、デュアルコネクティビティにおいて、マスターセルグループは、プライマリーセルを含んでもよい。また、デュアルコネクティビティにおいて、セカンダリーセルグループは、プライマリーセカンダリーセルを含んでもよい。ここで、デュアルコネクティビティに関わるオペレーションに対して、マスターセルグループのプライマリーセル、および／または、セカンダリーセルグループのプライマリーセカンダリーセルは、スペシャルセルとも称される。
【００７３】
ここで、スペシャルセル（デュアルコネクティビティにおける、マスターセルグループのプライマリーセル、および／または、セカンダリーセルグループのプライマリーセカンダリーセル）は、ＰＵＣＣＨでの送信に対して用いられてもよい。また、スペシャルセルにおいて、コンテンションベースのランダムアクセスプロシージャが実行されてもよい。すなわち、スペシャルセルは、ＰＵＣＣＨでの送信、および／または、コンテンションベースのランダムアクセス（コンテンションベースのランダムアクセスプロシージャ）をサポートしてもよい。
【００７４】
また、デュアルコネクティビティにおいて、プライマリーセルは、非活性化されない。すなわち、プライマリーセルは、常に、活性化されている。また、デュアルコネクティビティにおいて、プライマリーセカンダリーセルは、非活性化されない。すなわち、プライマリーセカンダリーセルは、常に、活性化されている。
【００７５】
また、デュアルコネクティビティにおいて、クロスキャリアスケジューリングは、プライマリーセルに適用されない。すなわち、プライマリーセルは、常に、プライマリーセルにおけるＰＤＣＣＨを用いてスケジュールされる。また、デュアルコネクティビティにおいて、クロスキャリアスケジューリングは、プライマリーセカンダリーセルに適用されない。すなわち、プライマリーセカンダリーセルは、常に、プライマリーセカンダリーセルにおけるＰＤＣＣＨを用いてスケジュールされる。ここで、デュアルコネクティビティにおいて、クロスキャリアスケジューリングは、同じセルグループ内のサービングセルに渡って用いられるのみであってもよい。
【００７６】
また、デュアルコネクティビティにおいて、端末装置１は、マスターｅＮＢ（MeNB: Master eNB）、および、セカンダリーｅＮＢ（SeNB: Master eNB）と（同時に）接続してもよい。また、デュアルコネクティビティに関連するセルグループが設定され場合には、端末装置１に対して、２つのＭＡＣエンティティ（two MAC entities）が設定されていてもよい。ここで、２つのＭＡＣエンティティのうちの１つは、マスターセルグループに対するＭＡＣエンティティを示していてもよい。また、２つのＭＡＣエンティティのうちのもう１つは、セカンダリーセルグループに対するＭＡＣエンティティを示していてもよい。また、デュアルコネクティビティに関連するセルグループが設定されていない場合において、端末装置１に対して、１つのＭＡＣエンティティが設定されてもよい。
【００７７】
すなわち、デュアルコネクティビティに関連するセルグループが設定された場合において、端末装置１において、マスターセルグループに対応する第１のＭＡＣ処理部、および、セカンダリーセルグループに対応する第２のＭＡＣ処理部のそれぞれが、処理（例えば、後述する、送信電力に関わる処理の一部、または、全て）を実行してもよい。また、デュアルコネクティビティに関連するセルグループが設定されていない場合において、端末装置１において、１つのＭＡＣ処理部（例えば、マスターセルグループに対応する第１のＭＡＣ処理部、または、セカンダリーセルグループに対応する第２のＭＡＣ処理部）が、処理（例えば、後述する、送信電力に関わる処理の一部、または、全て）を実行してもよい。
【００７８】
例えば、ＭＡＣエンティティのそれぞれが、ＰＵＣＣＨでの送信、および／または、コンテンションベースのランダムアクセス（コンテンションベースのランダムアクセスプロシージャ）をサポートする１つのサービングを伴って、ＲＲＣによって、設定されてもよい（Each MAC entity is configured by RRC with a serving cell supporting PUCCH transmission and contention based Random Access）。ここで、スペシャルセルは、ＭＡＣエンティティが、マスターセルグループおよびセカンダリーセルグループのいずれに関連するかに応じて、マスターセルグループのプライマリーセル、および、セカンダリーセルグループのプライマリーセカンダリーセルの何れか一方であってもよい。
【００７９】
ここで、本実施形態において、プライマリーセル、ＰＵＣＣＨセカンダリーセル、および／または、スペシャルセルを総称して、ＰＵＣＣＨサービングセル、および、ＰＵＣＣＨセルと称する。また、セカンダリーセルは、プライマリーセカンダリーセルを含まなくてもよい。また、マスターセルグループは、後述する、１つ、または、複数のＰＵＣＣＨセルグループを含んでもよい。また、セカンダリーセルグループは、後述する、１つ、または、複数のＰＵＣＣＨセルグループを含んでもよい。
【００８０】
ここで、ＰＵＣＣＨサービングセルは、常に、下りリンクコンポーネントキャリア、および、上りリンクコンポーネントキャリアを持ってもよい。また、上述したように、ＰＵＣＣＨサービングセルにおいて、ＰＵＣＣＨのリソースが設定されてもよい。すなわち、基地局装置３は、ＰＵＣＣＨサービングセルにおけるＰＵＣＣＨのリソースを設定するために用いられる情報を端末装置１へ送信してもよい。
【００８１】
すなわち、基地局装置３は、プライマリーセルにおけるＰＵＣＣＨのリソースを設定するために用いられる情報を端末装置１へ送信してもよい。また、基地局装置３は、セカンダリーセル（ＰＵＣＣＨセカンダリーセル）におけるＰＵＣＣＨのリソースを設定するために用いられる情報を端末装置１へ送信してもよい。また、デュアルコネクティビティにおいて、基地局装置３は、マスターセルグループのプライマリーセルにおけるＰＵＣＣＨのリソースを設定するために用いられる情報を端末装置１へ送信してもよい。また、デュアルコネクティビティにおいて、基地局装置３は、セカンダリーセルグループのプライマリーセカンダリーセルにおけるＰＵＣＣＨのリソースを設定するために用いられる情報を端末装置１へ送信してもよい。
【００８２】
ここで、非ＰＵＣＣＨサービングセル（非ＰＵＣＣＨセカンダリーセル）は、下りリンクコンポーネントキャリアのみを持ってもよい。また、非ＰＵＣＣＨサービングセルは、下りリンクコンポーネントキャリア、および、上りリンクコンポーネントキャリアを持ってもよい。
【００８３】
ここで、基地局装置３は、上位層の信号を用いて、１つまたは複数のサービングセルを設定してもよい。例えば、複数のサービングセルのセットをプライマリーセルと共に形成するために、１つまたは複数のセカンダリーセルが設定されてもよい。ここで、基地局装置３によって設定されるサービングセルに、ＰＵＣＣＨサービングセルが含まれてもよい。
【００８４】
また、ＰＵＣＣＨサービングセル（プライマリーセル、ＰＵＣＣＨセカンダリーセル、および／または、スペシャルセルのそれぞれ）は、基地局装置３によって設定されてもよい。例えば、基地局装置３は、ＰＵＣＣＨサービングセル（プライマリーセル、ＰＵＣＣＨセカンダリーセル、および／または、スペシャルセルのそれぞれ）を設定するために用いられる情報（インデックス）が含まれる上位層の信号を送信してもよい。
【００８５】
また、基地局装置３は、上位層の信号（例えば、ＭＡＣコントロールエレメント）を用いて、１つまたは複数のサービングセルを、活性化（activate）または非活性化（deactivate）してもよい。例えば、活性化または非活性のメカニズムは、ＭＡＣコントロールエレメントと非活性化に関連するタイマー（deactivation timer）の組み合わせに基づいてもよい。
【００８６】
ここで、基地局装置３によって、活性化または非活性化されるセカンダリーセルに、上述した、ＰＵＣＣＨセカンダリーセルが含まれてもよい。すなわち、基地局装置３は、単一のコマンド（a single activation/deactivation command）を用いて、ＰＵＣＣＨセカンダリーセルを含む複数のセカンダリーセルを、独立に、活性化または非活性化してもよい。すなわち、基地局装置３は、セカンダリーセルを活性化または非活性化するために用いられる単一のコマンドを、ＭＡＣコントロールエレメントを用いて送信してもよい。
【００８７】
また、非活性化に関連するタイマーの値として、上位層（例えば、ＲＲＣ層）によって、端末装置１毎に、１つの共通の値が設定されてもよい。また、非活性化に関連するタイマー（タイマーの値）は、セカンダリーセル毎に保持（適用）されてもよい。ここで、非活性化に関連するタイマー（タイマーの値）は、非ＰＵＣＣＨセカンダリーセル毎に対してのみ保持されてもよい。すなわち、端末装置１は、非活性化に関連するタイマーを、ＰＵＣＣＨセカンダリーセルに対して適用せず、非ＰＵＣＣＨセカンダリーセル毎に対してのみ保持（適用）してもよい。
【００８８】
また、ＰＵＣＣＨセカンダリーセルに対する非活性化に関連するタイマーと、非ＰＵＣＣＨセカンダリーセルに対する非活性化に関連するタイマーが、それぞれ設定されてもよい。例えば、基地局装置３は、ＰＵＣＣＨセカンダリーセルに対する非活性化に関連するタイマーと設定するための情報が含まれる上位層の信号を送信してもよい。また、基地局装置３は、非ＰＵＣＣＨセカンダリーセルに対する非活性化に関連するタイマーと設定するための情報が含まれる上位層の信号を送信してもよい。
【００８９】
図２は、本実施形態におけるセルグループを説明するための図である。ここで、図２は、セルグループの設定（構成、定義）の例として、３つの例（Example (a)、Example (b)、Example (c)）を示している。ここで、図２は、例として、ＰＵＣＣＨセルグループを示しているが、本実施形態は、ＰＵＣＣＨセルグループとは異なるセルグループに対しても適用可能なことは勿論である。例えば、本実施形態は、デュアルコネクティビティに関連するセルグループに対して適用可能なことは勿論である。
【００９０】
また、例えば、基地局装置３は、キャリアインディケータフィールド（CIF）を用いて指示されるサービングセルに対応させて、１つまたは複数のサービングセルのグループを設定してもよい。すなわち、基地局装置３は、下りリンクの送信に関連させて、１つまたは複数のサービングセルのグループを設定してもよい。また、基地局装置３は、上りリンクの送信に関連させて、１つまたは複数のサービングセルのグループを設定してもよい。また、本実施形態は、これらのセルグループに対して適用可能なことは勿論である。
【００９１】
ここで、例えば、セルグループは、基地局装置３によって設定されてもよい。すなわち、基地局装置３は、セルグループを設定するために用いられる情報（インデックス、セルグループインデックスでもよい）を送信してもよい。例えば、基地局装置３は、セルグループを設定するために用いられる情報が含まれる上位層の信号を送信してもよい。
【００９２】
図２（ａ）は、セルグループ（例えば、ＰＵＣＣＨセルグループ）として、第１のセルグループ、第２のセルグループが設定されていることを示している。例えば、図２（ａ）において、基地局装置３は、第１のセルグループにおいて下りリンク信号を送信し、端末装置１は、第１のセルグループにおいて上りリンク信号を送信してもよい。すなわち、端末装置１は、第１のセルグループにおけるＰＵＣＣＨで上りリンク制御情報を送信してもよい。すなわち、ＰＵＣＣＨセルグループは、ＰＵＣＣＨでの送信（ＰＵＣＣＨでの上りリンク制御情報の送信）に関連するグループであってもよい。
【００９３】
例えば、第１のセルグループにおいて２０のサービングセル（下りリンクコンポーネントキャリア、下りリンクセル）が設定または活性化された場合には、基地局装置３と端末装置１は、該２０の下りリンクコンポーネントキャリアに対する上りリンク制御情報を送受信してもよい。
【００９４】
同様に、基地局装置３と端末装置１は、図２（ｂ）に示すようにセルグループ（例えば、ＰＵＣＣＨセルグループ）を設定し、上りリンク制御情報を送受信してもよい。また、基地局装置３と端末装置１は、図２（ｃ）に示すようにセルグループ（例えば、ＰＵＣＣＨセルグループ）を設定し、上りリンク制御情報を送受信してもよい。
【００９５】
ここで、１つのセルグループは、少なくとも、１つのサービングセルを含んでもよい。また、１つのセルグループは、１つのサービングセルのみを含んでもよい。また、例えば、１つのＰＵＣＣＨセルグループは、１つのＰＵＣＣＨサービングセル、および、１つまたは複数の非ＰＵＣＣＨサービングセルを含んでもよい。
【００９６】
ここで、プライマリーセルを含むセルグループは、プライマリーセルグループとも称される。また、プライマリーセルを含まないセルグループは、セカンダリーセルグループとも称される。また、プライマリーセルを含むＰＵＣＣＨセルグループは、プライマリーＰＵＣＣＨセルグループとも称される。また、プライマリーセルを含まないＰＵＣＣＨセルグループは、セカンダリーＰＵＣＣＨセルグループとも称される。すなわち、ＰＵＣＣＨセカンダリーセルは、セカンダリーＰＵＣＣＨセルグループに含まれてもよい。
【００９７】
ここで、基地局装置３は、ＰＵＣＣＨセカンダリーセルを指示するために用いられる情報を、上位層の信号、および／または、ＰＤＣＣＨ（ＰＤＣＣＨで送信される下りリンク制御情報）に含めて送信してもよい。すなわち、端末装置１は、ＰＵＣＣＨセカンダリーセルを指示するために用いられる情報に基づいて、ＰＵＣＣＨセカンダリーセルを決定してもよい。
【００９８】
上述したように、ＰＵＣＣＨサービングセルにおけるＰＵＣＣＨは、該ＰＵＣＣＨサービングセルが属するセルグループに含まれるサービングセルに対する上りリンク制御情報を送信するために用いられてもよい。すなわち、セルグループに含まれるサービングセルに対する上りリンク制御情報は、該セルグループに含まれるＰＵＣＣＨサービングセルにおけるＰＵＣＣＨを用いて送信されてもよい。
【００９９】
ここで、送信電力値およびパワーヘッドルームの算出方法について、詳細に記載する。
【０１００】
例えば、端末装置１は、ＰＵＣＣＨでの送信を同時には行わずにＰＵＳＣＨでの送信を行う場合において、あるサービングセルｃに対する、あるサブフレームｉにおけるＰＵＳＣＨでの送信に対する送信電力値を、数式（１）に基づいてセットしてもよい。ここで、数式（１）におけるＰｒｅａｌ，ｃ（ｉ）は、数式（２）に基づいて定義されてもよい。
【数１】
2017022617.tif 000003
【数２】
2017022617.tif 000004
【０１０１】
ここで、Ｐｒｅａｌ，ｃ（ｉ）は、ＰＵＳＣＨに対する実際の送信（a real transmission）に基づいて算出される（推定される）電力値である。また、ＰＵＳＣＨに対する実際の送信に基づいて電力値が算出される（推定される）とは、ＰＵＳＣＨでの実際の送信に基づいて電力値が算出される（推定される）ことの意味を含む。
【０１０２】
また、端末装置１は、ＰＵＣＣＨでの送信を同時に行いＰＵＳＣＨでの送信を行う場合において、あるサービングセルｃに対する、あるサブフレームｉにおけるＰＵＳＣＨでの送信に対する送信電力値を、数式（３）に基づいてセットしても良い。
【数３】
2017022617.tif 000005
【０１０３】
ここで、ＰＰＵＳＣＨ，ｃ（ｉ）は、第ｉサブフレームにおけるＰＵＳＣＨでの送信に対する送信電力値を示す。また、ｍｉｎ｛Ｘ、Ｙ｝、ＸとＹのうちの最小値を選択するための関数である。また、ＰＣＭＡＸ，ｃは最大送信電力値（最大出力電力値とも称される）を示し、端末装置１によって設定される。
【０１０４】
また、ｐＣＭＡＸ，ｃはＰＣＭＡＸ，ｃの線形値（the liner value）を示している。また、ｐＰＵＣＣＨはＰＰＵＣＣＨ（ｉ）の線形値を示している。ここで、ＰＰＵＣＣＨ（ｉ）については、後述する。
【０１０５】
また、ＭＰＵＳＣＨ，ｃは、基地局装置３によって割り当てられたＰＵＳＣＨのリソース（例えば、帯域幅）を示し、リソースブロックの数によって表現される。また、Ｐ０_ＰＵＳＣＨ，ｃは、ＰＵＳＣＨでの送信に対する基本となる送信電力を示すパラメータである。例えば、Ｐ０_ＰＵＳＣＨ，ｃは、上位層から指示されるセルスペシフィックパラメータＰ０_ＮＯＭＩＮＡＬ_ＰＵＳＣＨ，ｃと、上位層から指示されるユーザー装置スペシフィックパラメータＰ０_ＵＥ_ＰＵＳＣＨ，ｃとの和によって構成される。
【０１０６】
例えば、基地局装置３は、Ｐ０_ＰＵＳＣＨ，ｃを指示するための情報を、上位層の信号を用いて端末装置１へ送信しても良い。基地局装置３は、セルスペシフィックパラメータＰ０_ＮＯＭＩＮＡＬ_ＰＵＳＣＨ，ｃ、および／または、ユーザー装置スペシフィックパラメータＰ０_ＵＥ_ＰＵＳＣＨ，ｃを、上位層の信号を用いて設定しても良い。
【０１０７】
また、ＰＬｃは、あるサービングセルに対する下りリンクのパスロスの推定を示し、端末装置１において計算されてもよい。
【０１０８】
また、αｃは、パスロスに乗算される係数を示し、上位層から指示される。例えば、基地局装置３は、αｃを指示するための情報を、上位層の信号を用いて端末装置１へ送信しても良い。
【０１０９】
また、ΔＴＦ，ｃ（ｉ）は、変調方式等によるオフセット値を示す。また、現在のＰＵＳＣＨでの送信に対する電力制御調整の状態（PUSCH power control adjustment state）は、ｆｃ（ｉ）によって与えられる。ここで、ｆｃ（ｉ）に対する累積が有効（enabled）であるか無効（disabled）であるかが、パラメータ（Accumulation-enabled）に基づいて上位層によって与えられる。
【０１１０】
例えば、端末装置１は、上位層から与えられたパラメータ（Accumulation-enabled）に基づいて累積が有効である場合には、数式（４）に基づいて、ｆｃ（ｉ）の値をセットする。
【数４】
2017022617.tif 000006
【０１１１】
ここで、δＰＵＳＣＨ，ｃは、補正値（a correction value）であり、ＴＰＣコマンドと呼称される。すなわち、上位層から与えられたパラメータ（Accumulation-enabled）に基づいて累積が有効である場合、δＰＵＳＣＨ，ｃ（ｉ−ＫＰＵＳＣＨ）は、ｆｃ（ｉ−１）に累積される値を示している。ここで、δＰＵＳＣＨ，ｃ（ｉ−ＫＰＵＳＣＨ）は、あるサブフレーム（ｉ−ＫＰＵＳＣＨ）で受信した、あるサービングセルに対する上りリンクグラントに含まれるＰＵＳＣＨに対するＴＰＣコマンドのフィールド（２ビットの情報フィールド）にセットされる値に基づいて指示される。
【０１１２】
また、端末装置１は、上位層から与えられたパラメータ（Accumulation-enabled）に基づいて累積が無効である場合（すなわち、累積が有効ではない場合）には、数式（５）に基づいて、ｆｃ（ｉ）の値をセットする。
【数５】
2017022617.tif 000007
【０１１３】
すなわち、上位層から与えられたパラメータ（Accumulation-enabled）に基づいて累積が無効である場合、δＰＵＳＣＨ，ｃ（ｉ−ＫＰＵＳＣＨ）は、ｆｃ（ｉ）に対する絶対値（absolute value）を示している。例えば、上りリンクグラント（ＤＣＩフォーマット０またはＤＣＩフォーマット４）に含まれるＰＵＳＣＨに対するＴＰＣコマンドのフィールド（２ビットの情報フィールド）がセットされる値は、絶対値｛−４、−１、１、４｝にマップされる。
【０１１４】
また、端末装置１は、ＰＵＣＣＨでの送信を行う場合に、あるサービングセルｃに対する、あるサブフレームｉにおけるＰＵＣＣＨでの送信に対する送信電力値を、数式（６）に基づいてセットする。ここで、数式（６）におけるＰｒｅａｌ_ＰＵＣＣＨ，ｃ（ｉ）は、数式（７）に基づいて定義される。
【数６】
2017022617.tif 000008
【数７】
2017022617.tif 000009
【０１１５】
ここで、Ｐｒｅａｌ_ＰＵＣＣＨ，ｃ（ｉ）は、ＰＵＣＣＨに対する実際の送信（a real transmission）に基づいて算出される（推定される）電力値である。また、ＰＵＣＣＨに対する実際の送信に基づいて電力値が算出される（推定される）とは、ＰＵＣＣＨでの実際の送信に基づいて電力値が算出される（推定される）ことの意味を含む。
【０１１６】
また、ＰＰＵＣＣＨ，ｃ（ｉ）は、第ｉサブフレームにおけるＰＵＣＣＨでの送信に対する送信電力値を示す。また、Ｐ０_ＰＵＣＣＨ，ｃは、ＰＵＣＣＨでの送信に対する基本となる送信電力を示すパラメータであり、上位層から指示される。
【０１１７】
また、ｈ（ｎＣＱＩ、ｎＨＡＲＱ）は、ＰＵＣＣＨで送信されるビット数およびＰＵＣＣＨのフォーマットに基づいて算出される値である。ここで、ｎＣＱＩはＰＵＣＣＨで送信されるチャネル状態情報を示し、ｎＨＡＲＱはＰＵＣＣＨで送信されるＨＡＲＱの情報（例えば、ＡＣＫ／ＮＡＣＫ）を示す。
【０１１８】
また、ΔＦ_ＰＵＣＣＨ（Ｆ）は、ＰＵＣＣＨのフォーマット毎に上位層から指示されるオフセット値である。例えば、ＰＵＣＣＨフォーマット１ａに対するΔＦ_ＰＵＣＣＨ（Ｆ）は常に０である。また、端末装置１は、数式（８）に基づいて、ｇ（ｉ）の値をセットしても良い。
【数８】
2017022617.tif 000010
【０１１９】
ここで、δＰＵＣＣＨは、補正値（a correction value）であり、ＴＰＣコマンドと呼称される。すなわち、δＰＵＣＣＨ（ｉ−ＫＰＵＣＣＨ）は、ｇ（ｉ−１）に累積される値を示している。また、δＰＵＣＣＨ（ｉ−ＫＰＵＣＣＨ）は、あるサブフレーム（ｉ−ＫＰＵＣＣＨ）で受信した、あるサービングセルに対する下りリンクアサインメントに含まれるＰＵＣＣＨに対するＴＰＣコマンドのフィールドにセットされた値に基づいて指示される。例えば、下りリンクアサインメントに含まれるＰＵＣＣＨに対するＴＰＣコマンドのフィールド（２ビットの情報フィールド）がセットされる値は、累積される補正値｛−１、０、１、３｝にマップされる。
【０１２０】
ここで、パワーヘッドルームの報告（Power Headroom Reporting: PHR）について詳細に記載する。
【０１２１】
端末装置１は、最大送信電力と、上りリンクの送信に対して推定される所定の電力との差を示すパワーヘッドルーム（電力余力値）を基地局装置３へ送信する。すなわち、パワーヘッドルームの報告は、最大送信電力（ノミナル最大送信電力（the nominal maximum transmission power）とも称される）と、活性化されたサービングセル毎のＵＬ−ＳＣＨ（ＰＵＳＣＨでも良い）での送信に対して推定される電力との差を、基地局装置３へ供給するために用いられる。
【０１２２】
すなわち、パワーヘッドルームの報告は、端末装置１が、最大送信電力に対してどの程度余裕を持ってＰＵＳＣＨでの送信を行っているのかを、基地局装置３へ供給するために用いられる。ここで、パワーヘッドルームの報告は、最大送信電力と、ＵＬ−ＳＣＨ（ＰＵＳＣＨでも良い）およびＰＵＣＣＨでの送信に対して推定される電力との差を、基地局装置３へ供給するために用いられても良い。また、パワーヘッドルームの報告は、最大送信電力値を基地局装置３へ供給するために用いられても良い。また、パワーヘッドルームは、物理層から上位層へ供給され、基地局装置３へ報告される。
【０１２３】
例えば、基地局装置３は、パワーヘッドルームの値に基づいて、ＰＵＳＣＨに対するリソース割り当て（例えば、帯域幅）や、ＰＵＳＣＨに対する変調方式などを決定する。
【０１２４】
ここで、パワーヘッドルームの報告に対して、２つのタイプ（タイプ１、タイプ２）が定義される。ここで、ある１つのパワーヘッドルームは、あるサービングセルｃに対する、あるサブフレームｉに対して有効である。また、タイプ１のパワーヘッドルームは、タイプ１−１、タイプ１−２、および、タイプ１−３のパワーヘッドルームを含む。また、タイプ２のパワーヘッドルームは、タイプ２−１、タイプ２−２、タイプ２−３、および、タイプ２−４のパワーヘッドルームを含む。以下、タイプ１のパワーヘッドルームおよびタイプ２のパワーヘッドルームを、単に、パワーヘッドルームとも記載する。
【０１２５】
ここで、タイプ１−１のパワーヘッドルームは、端末装置１が、あるサービングセルｃに対する、あるサブフレームｉにおいて、ＰＵＣＣＨでの送信を同時には行わずにＰＵＳＣＨでの送信を行う場合に対して定義される。ここで、タイプ１−１のパワーヘッドルームの報告は、あるサービングセルｃに対して定義される。
【０１２６】
例えば、端末装置１は、あるセルｃに対する、あるサブフレームｉにおいて、ＰＵＣＣＨでの送信を同時には行わずにＰＵＳＣＨでの送信を行う場合に、該あるサブフレームｉにおけるＰＵＳＣＨでの送信に対するタイプ１−１のパワーヘッドルームを、数式（９）
に基づいて算出する。
【数９】
2017022617.tif 000011
【０１２７】
すなわち、タイプ１−１のパワーヘッドルームは、ＰＵＳＣＨに対する実際の送信に基づいて算出される。ここで、ＰＵＳＣＨに対する実際の送信に基づいてパワーヘッドルームが算出されるとは、ＰＵＳＣＨでの実際の送信に基づいてパワーヘッドルームが算出されることの意味を含む。
【０１２８】
また、タイプ１−２のパワーヘッドルームの報告は、端末装置１が、あるサービングセルｃに対する、あるサブフレームｉにおいて、ＰＵＣＣＨでの送信を同時に行いＰＵＳＣＨでの送信を行う場合に対して定義される。ここで、タイプ１−２のパワーヘッドルームの報告は、あるサービングセルｃに対して定義される。
【０１２９】
例えば、端末装置１は、あるサービングセルｃに対する、あるサブフレームｉにおいて、ＰＵＣＣＨでの送信を同時に行いＰＵＳＣＨでの送信を行う場合に、該あるサブフレームｉにおけるＰＵＳＣＨでの送信に対するタイプ１−２のパワーヘッドルームを、数式（１０）に基づいて算出する。
【数１０】
2017022617.tif 000012
【０１３０】
すなわち、タイプ１−２のパワーヘッドルームは、ＰＵＳＣＨに対する実際の送信に基づいて算出される。ここで、ＰＣＭＡＸ_Ａは、あるサブフレームｉにおいてＰＵＳＣＨのみでの送信が行われることを想定して算出される最大送信電力値である。この場合、物理層は、ＰＣＭＡＸの代わりにＰＣＭＡＸ_Ａを上位層へ供給する。
【０１３１】
また、タイプ１−３のパワーヘッドルームの報告は、端末装置１が、あるサービングセルｃに対する、あるサブフレームｉにおいてＰＵＳＣＨでの送信を行なわない場合に対して定義される。ここで、タイプ１−３のパワーヘッドルームの報告は、あるサービングセルｃに対して定義される。
【０１３２】
例えば、端末装置１は、あるサービングセルｃに対する、あるサブフレームｉにおいて、ＰＵＳＣＨでの送信を行わない場合に、該あるサブフレームｉにおけるＰＵＳＣＨでの送信に対するタイプ１−３のパワーヘッドルームを、数式（１１）に基づいて算出する。ここで、数式（１１）におけるＰｒｅｆｅｒｅｎｃｅ，ｃ（ｉ）は、数式（１２）に基づいて定義される。
【数１１】
2017022617.tif 000013
【数１２】
2017022617.tif 000014
【０１３３】
ここで、ＰＣＭＡＸ_Ｂは、ＭＰＲ（Maximum Power Reduction）＝０ｄＢ、Ａ−ＭＰＲ（Additional Maximum Power Reduction）＝０ｄＢ、Ｐ−ＭＰＲ（Power management Maximum Power Reduction）＝０ｄＢ、ΔＴＣ＝０ｄＢを想定して算出される。ここで、ＭＰＲ、Ａ−ＭＰＲ、Ｐ−ＭＰＲ、および、ΔＴＣは、ＰＣＭＡＸ，ｃの値をセットするために用いられるパラメータである。
【０１３４】
すなわち、タイプ１−３のパワーヘッドルームは、ＰＵＳＣＨに対するリファレンスフォーマット（a reference format）に基づいて算出される。ここで、ＰＵＳＣＨに対するリファレンスフォーマットに基づいてパワーヘッドルームが算出されるとは、リファレンスフォーマットが用いられたＰＵＳＣＨでの送信に基づいてパワーヘッドルームが算出されることの意味を含む。
【０１３５】
また、Ｐｒｅｆｅｒｅｎｃｅ，ｃ（ｉ）は、ＰＵＳＣＨに対するリファレンスフォーマットに基づいて算出される（推定される）電力値である。ここで、ＰＵＳＣＨに対するリファレンスフォーマットに基づいて電力値が算出される（推定される）とは、リファレンスフォーマットが用いられたＰＵＳＣＨでの送信を想定することによって電力値が算出される（推定される）ことの意味を含む。
【０１３６】
すなわち、ＰＵＳＣＨに対するリファレンスフォーマットとして、あるサブフレームｉにおけるＭＰＵＳＣＨ，ｃ＝１を用いたＰＵＳＣＨでの送信が想定される。また、ＰＵＳＣＨに対するリファレンスフォーマットとして、Ｐ０_ＰＵＳＣＨ，ｃ（１）が想定される。また、ＰＵＳＣＨに対するリファレンスフォーマットとして、αｃ（１）が想定される。また、ＰＵＳＣＨに対するリファレンスフォーマットとして、ΔＴＦ（ｉ）＝０が想定される。
【０１３７】
ここで、タイプ２−１のパワーヘッドルームの報告は、端末装置１が、あるサービングセルｃに対する、あるサブフレームｉにおいて、ＰＵＣＣＨでの送信を同時に行いＰＵＳＣＨでの送信を行う場合に対して定義される。ここで、タイプ２−１のパワーヘッドルームの報告は、あるサービングセルｃに対して定義される。
【０１３８】
例えば、端末装置１は、あるサービングセルｃに対する、あるサブフレームｉにおいて、ＰＵＣＣＨでの送信を同時に行いＰＵＳＣＨでの送信を行う場合に、該あるサブフレームｉにおけるＰＵＳＣＨでの送信に対するタイプ２−１のパワーヘッドルームを、数式（１３）に基づいて算出する。
【数１３】
2017022617.tif 000015
【０１３９】
すなわち、タイプ２−１のパワーヘッドルームは、ＰＵＳＣＨに対する実際の送信、および、ＰＵＣＣＨに対する実際の送信に基づいて算出される。
【０１４０】
また、タイプ２−２のパワーヘッドルームの報告は、端末装置１が、あるサービングセルｃに対する、あるサブフレームｉにおいて、ＰＵＣＣＨでの送信を同時に行わずにＰＵＳＣＨでの送信を行う場合に対して定義される。ここで、タイプ２−２のパワーヘッドルームの報告は、あるサービングセルｃに対して定義される。
【０１４１】
例えば、端末装置１は、あるサービングセルｃに対する、あるサブフレームｉにおいて、ＰＵＣＣＨでの送信を同時に行わずにＰＵＳＣＨでの送信を行う場合に、該あるサブフレームｉにおけるＰＵＳＣＨでの送信に対するタイプ２−２のパワーヘッドルームを、数式（１４）に基づいて算出する。ここで、数式（１４）におけるＰｒｅｆｅｒｅｎｃｅ_ＰＵＣＣＨ, ｃ（ｉ）は、数式（１５）に基づいて定義される。
【数１４】
2017022617.tif 000016
【数１５】
2017022617.tif 000017
【０１４２】
すなわち、タイプ２−２のパワーヘッドルームは、ＰＵＳＣＨに対する実際の送信、および、ＰＵＣＣＨに対するリファレンスフォーマットに基づいて算出される。ここで、ＰＵＣＣＨに対するリファレンスフォーマットに基づいてパワーヘッドルームが算出されるとは、リファレンスフォーマットが用いられたＰＵＣＣＨでの送信を想定することによってパワーヘッドルームが算出されることの意味を含む。
【０１４３】
また、Ｐｒｅｆｅｒｅｎｃｅ_ＰＵＣＣＨ，ｃ（ｉ）は、ＰＵＣＣＨに対するリファレンスフォーマットに基づいて算出される（推定される）電力値である。ここで、ＰＵＣＣＨに対するリファレンスフォーマットに基づいて電力値が算出される（推定される）とは、リファレンスフォーマットが用いられたＰＵＣＣＨでの送信を想定することによって電力値が算出される（推定される）ことの意味を含む。
【０１４４】
すなわち、ＰＵＣＣＨに対するリファレンスフォーマットとして、ｈ（ｎＣＱＩ、ｎＨＡＲＱ）＝０が想定される。また、ＰＵＣＣＨに対するリファレンスフォーマットとして、ΔＦ_ＰＵＣＣＨ（Ｆ）＝０が想定される。また、ＰＵＣＣＨに対するリファレンスフォーマットとして、ＰＵＣＣＨフォーマット１ａが想定される。
【０１４５】
また、タイプ２−３のパワーヘッドルームの報告は、端末装置１が、あるサービングセルｃに対する、あるサブフレームｉにおいて、ＰＵＳＣＨでの送信を同時に行わずにＰＵＣＣＨでの送信を行う場合に対して定義される。ここで、タイプ２−３のパワーヘッドルームの報告は、あるサービングセルｃに対して定義される。
【０１４６】
例えば、端末装置１は、あるサービングセルｃに対する、あるサブフレームｉにおいて、ＰＵＳＣＨでの送信を同時に行わずにＰＵＣＣＨでの送信を行う場合に、該あるサブフレームｉにおけるＰＵＳＣＨでの送信に対するタイプ２−３のパワーヘッドルームを、数式（１６）に基づいて算出する。
【数１６】
2017022617.tif 000018
【０１４７】
すなわち、タイプ２−３のパワーヘッドルームは、ＰＵＳＣＨに対するリファレンスフォーマット、および、ＰＵＣＣＨに対する実際の送信に基づいて算出される。
【０１４８】
また、タイプ２−４のパワーヘッドルームの報告は、端末装置１が、あるサービングセルｃに対する、あるサブフレームｉにおいて、ＰＵＣＣＨでの送信またはＰＵＳＣＨでの送信を行わない場合に対して定義される。ここで、タイプ２−４のパワーヘッドルームの報告は、あるサービングセルｃに対して定義される。
【０１４９】
例えば、端末装置１は、あるサービングセルｃに対する、あるサブフレームｉにおいて、ＰＵＣＣＨでの送信またはＰＵＳＣＨでの送信を行わない場合に、該あるサブフレームｉにおけるＰＵＳＣＨでの送信に対するタイプ２−４のパワーヘッドルームを、数式（１７）に基づいて算出する。
【数１７】
2017022617.tif 000019
【０１５０】
すなわち、タイプ２−４のパワーヘッドルームは、ＰＵＳＣＨに対するリファレンスフォーマット、および、ＰＵＣＣＨに対するリファレンスフォーマットに基づいて算出される。
【０１５１】
ここで、パワーヘッドルームの報告に用いられるＭＡＣコントロールエレメントの構成（MAC CE structure）について詳細に記載する。
【０１５２】
例えば、パワーヘッドルームの報告に用いられるＭＡＣコントロールエレメントは、パワーヘッドルームＭＡＣコントロールエレメント（Power Headroom MAC control element）、拡張されたパワーヘッドルームＭＡＣコントロールエレメント（Extended Power Headroom MAC control element）、セカンダリーセルＰＵＣＣＨパワーヘッドルームＭＡＣコントロールエレメント（Scell PUCCH Power Headroom MAC control element）、および／または、デュアルコネクティビティパワーヘッドルームＭＡＣコントロールエレメント（Dual connectivity Power Headroom MAC control element）を含んでもよい。
【０１５３】
以下、拡張されたパワーヘッドルームＭＡＣコントロールエレメント（Extended Power Headroom MAC control element）を、第１のＭＡＣコントロールエレメントとも記載する。また、セカンダリーセルＰＵＣＣＨパワーヘッドルームＭＡＣコントロールエレメント（Scell PUCCH Power Headroom MAC control element）を、第２のＭＡＣコントロールエレメントとも記載する。また、デュアルコネクティビティパワーヘッドルームＭＡＣコントロールエレメント（Dual connectivity Power Headroom MAC control element）を、第３のＭＡＣコントロールエレメントとも記載する。
【０１５４】
ここで、基地局装置３は、第１のＭＡＣコントロールエレメントを用いてパワーヘッドルームを報告することを示すために用いられる情報（extended-PHR）を送信してもよい。すなわち、端末装置１は、第１のＭＡＣコントロールエレメントを用いてパワーヘッドルームを報告することを示すために用いられる情報（extended-PHR）が設定されている場合には、第１のＭＡＣコントロールエレメントを用いてパワーヘッドルームを報告してもよい。以下、第１のＭＡＣコントロールエレメントを用いてパワーヘッドルームを報告することを示すために用いられる情報（extended-PHR）を、第１のパラメータとも記載する。
【０１５５】
また、基地局装置３は、第２のＭＡＣコントロールエレメントを用いてパワーヘッドルームを報告することを示すために用いられる情報（ScellPUCCH-PHR）を送信してもよい。すなわち、端末装置１は、第２のＭＡＣコントロールエレメントを用いてパワーヘッドルームを報告することを示すために用いられる情報（ScellPUCCH-PHR）が設定されている場合には、第２のＭＡＣコントロールエレメントを用いてパワーヘッドルームを報告してもよい。以下、第２のＭＡＣコントロールエレメントを用いてパワーヘッドルームを報告することを示すために用いられる情報（ScellPUCCH-PHR）を、第２のパラメータとも記載する。
【０１５６】
また、基地局装置３は、第３のＭＡＣコントロールエレメントを用いてパワーヘッドルームを報告することを示すために用いられる情報（dualconnectivity-PHR）を送信してもよい。すなわち、端末装置１は、第３のＭＡＣコントロールエレメントを用いてパワーヘッドルームを報告することを示すために用いられる情報（dualconnectivity-PHR）が設定されている場合には、第３のＭＡＣコントロールエレメントを用いてパワーヘッドルームを報告してもよい。以下、第３のＭＡＣコントロールエレメントを用いてパワーヘッドルームを報告することを示すために用いられる情報（dualconnectivity-PHR）を、第３のパラメータとも記載する。
【０１５７】
例えば、基地局装置３は、少なくとも、セカンダリーセルにおいてＰＵＣＣＨを設定した場合には（ＰＵＣＣＨセカンダリーセルを設定した場合には）、常に、第２のパラメータを端末装置１へ設定してもよい。すなわち、端末装置１は、少なくとも、セカンダリーセルにおいてＰＵＣＣＨが設定された場合には（ＰＵＣＣＨセカンダリーセルが設定された場合には）、常に、第２のＭＡＣコントロールエレメントを用いてパワーヘッドルームを報告してもよい。
【０１５８】
また、基地局装置３は、少なくとも、デュアルコネクティビティに関連するセルグループを設定した場合には（デュアルコネクティビティを設定した場合には）、常に、第３のパラメータを端末装置１へ設定してもよい。すなわち、端末装置１は、少なくとも、デュアルコネクティビティに関連するセルグループが設定された場合には（デュアルコネクティビティが設定された場合には）、常に、第３のＭＡＣコントロールエレメントを用いてパワーヘッドルームを報告してもよい。
【０１５９】
ここで、第１のパラメータと、第２のパラメータは、端末装置１に対して、同時に設定されなくてもよい。また、第２のパラメータと、第３のパラメータは、端末装置１に対して、同時に設定されなくてもよい。また、第１のパラメータと、第３のパラメータは、端末装置１に対して、同時に設定されなくてもよい。また、第１のパラメータと、第２のパラメータと、第３のパラメータは、端末装置１に対して、同時に設定されなくてもよい。
【０１６０】
また、第１のＭＡＣコントロールエレメント、第２のＭＡＣコントロールエレメント、および、第３のＭＡＣコントロールエレメントは、論理チャネルＩＤ（LCID: Logical Channel Identifier）の値を用いて識別されてもよい。ここで、論理チャネルＩＤは、１つのＭＡＣ  ＰＤＵサブヘッダー（a MAC PDU subheader）に含まれてもよい。すなわち、第１のＭＡＣコントロールエレメント、第２のＭＡＣコントロールエレメント、および、第３のＭＡＣコントロールエレメントは、論理チャネルＩＤが含まれる１つのＭＡＣ  ＰＤＵサブヘッダーによって識別されてもよい。
【０１６１】
例えば、第１のＭＡＣコントロールエレメントは、論理チャネルＩＤの第１の値（論理チャネルＩＤの値に対応する第１のインデックスでもよい）を用いることによって識別されてもよい。また、第２のＭＡＣコントロールエレメントは、論理チャネルＩＤの第２の値（論理チャネルＩＤの値に対応する第２のインデックスでもよい）を用いることによって識別されてもよい。また、第３のＭＡＣコントロールエレメントは、論理チャネルＩＤの第３の値（論理チャネルＩＤの値に対応する第３のインデックスでもよい）を用いることによって識別されてもよい。
【０１６２】
ここで、基地局装置３は、ＰＵＣＣＨおよびＰＵＳＣＨでの同時送信を設定するかどうかを示すために用いられる情報（simultaneouesPUCCH-PUSCH）を端末装置１へ送信してもよい。例えば、基地局装置３は、ＰＵＣＣＨおよびＰＵＳＣＨでの同時送信を設定するかどうかを示すために用いられる情報が含まれる上位層の信号を端末装置１へ送信してもよい。以下、ＰＵＣＣＨおよびＰＵＳＣＨでの同時送信を設定するかどうかを示すために用いられる情報を、第４のパラメータとも記載する。
【０１６３】
すなわち、端末装置１は、ＰＵＣＣＨおよびＰＵＳＣＨでの同時送信が設定された場合には、あるサブフレームにおいて、ＰＵＣＣＨおよびＰＵＳＣＨでの同時送信を行ってもよい。また、端末装置１は、ＰＵＣＣＨおよびＰＵＳＣＨでの同時送信が設定されていない場合には、あるサブフレームにおいて、ＰＵＣＣＨでの送信、または、ＰＵＳＣＨでの送信を行ってもよい。
【０１６４】
ここで、第４のパラメータ（第４のパラメータのフィールド）は、ＰＵＣＣＨサービングセルに対して設定されてもよい。例えば、第４のパラメータは、プライマリーセルに対して設定されてもよい。また、第４のパラメータは、ＰＵＣＣＨセカンダリーセルに対して設定されてもよい。また、第４のパラメータは、デュアルコネクティビティにおける、マスターセルグループのプライマリーセルに対して設定されてもよい。また、第４のパラメータは、デュアルコネクティビティにおける、セカンダリーセルグループのプライマリーセカンダリーセルに対して設定されてもよい。
【０１６５】
ここで、第４のパラメータ（第４のパラメータのフィールド）は、セルグループのそれぞれに対して設定されてもよい（セルグループ毎に設定されてもよい）。例えば、第４のパラメータは、ＰＵＣＣＨセルグループのそれぞれに対して設定されてもよい（ＰＵＣＣＨセルグループ毎に設定されてもよい）。すなわち、第４のパラメータは、ＰＵＣＣＨが設定されるセルグループ毎に設定されてもよい。また、第４のパラメータは、デュアルコネクティビティにおける、マスターセルグループおよびセカンダリーセルグループのそれぞれに対して設定されてもよい。
【０１６６】
本実施形態における、端末装置１における処理を図３、図４、および、図５を用いて説明する。ここで、図３、図４、および、図５においては、端末装置１における処理を説明するために、端末装置１におけるＭＡＣエンティティにおける処理を記載している。ここで、図３、図４、および、図５においては、端末装置１におけるＭＡＣエンティティにおける処理を記載しているが、図３、図４、および、図５において記載される処理は、端末装置１における処理であることは勿論である。
【０１６７】
また、図３、図４、および、図５を用いて、基本的には、端末装置１における処理を記載するが、端末装置１における処理に対応して、基地局装置３が同様の処理を行なうことは勿論である。すなわち、端末装置１の処理に対応して、基地局装置３におけるＭＡＣエンティティが同様の処理を行ってもよい。ここで、基地局装置３におけるＭＡＣエンティティにおける処理は、基地局装置３における処理でありことは勿論である。例えば、基地局装置３におけるＭＡＣエンティティが、パワーヘッドルームの報告を受信するとは、基地局装置３がパワーヘッドルームの報告を受信することと同様であることは勿論である。すなわち、基地局装置３におけるＭＡＣエンティティが、パワーヘッドルームの報告を受信するとは、基地局装置３における受信部が、パワーヘッドルームの報告を受信することと同様であることは勿論である。
【０１６８】
また、図３、図４、および、図５に示されるように、端末装置１におけるＭＡＣエンティティは、あるＴＴＩ（Transmission Time Interval）に対する、新しい送信に対して、上りリンクリソースを持つ（基地局装置３によって、上りリンクリソースが割り当てられた）場合において、図３、図４、および、図５に示される処理を行ってもよい。ここで、あるＴＴＩは、あるサブフレームｉに対応してもよい。例えば、あるＴＴＩ（あるサブフレームｉ）は、１ｍｓでもよい。ここで、ＭＡＣエンティティは、ＭＡＣ処理部（第１のＭＡＣ処理部、および／または、第２のＭＡＣ処理部）に含まれてもよい。
【０１６９】
また、ＭＡＣエンティティは、上述した、パワーヘッドルームを取得してもよい。例えば、ＭＡＣエンティティは、上述した、パワーヘッドルームの値（より詳細には、物理レイヤによって報告されたパワーヘッドルームの値）に基づいて、第１のＭＡＣコントロールエレメント、第２のＭＡＣコントロールエレメント、および／または、第３のＭＡＣコントロールエレメントを、生成し、および、送信するよう、指示してもよい。
【０１７０】
図３は、本実施形態における、端末装置１における動作を説明するための別の図である。
【０１７１】
図３に示される通り、端末装置１は、第１のパラメータが設定され、且つ、ＰＵＣＣＨおよびＰＵＳＣＨでの同時送信が設定されている場合には、プライマリーセルに対するタイプ２のパワーヘッドルームの値を取得してもよい。すなわち、端末装置１は、第１のパラメータが設定され、且つ、ＰＵＣＣＨおよびＰＵＳＣＨでの同時送信がプライマリーセルに対して設定されている場合には、プライマリーセルに対するタイプ２のパワーヘッドルームの値を取得してもよい。ここで、この場合において、第２のパラメータは設定されていなくてもよい。また、この場合において、第３のパラメータは設定されていなくてもよい。
【０１７２】
また、端末装置１は、第２のパラメータが設定されている場合には、プライマリーセルに対するタイプ２のパワーヘッドルームの値を取得してもよい。すなわち、この場合において、端末装置１は、ＰＵＣＣＨおよびＰＵＳＣＨでの同時送信が設定されているかどうかに関わらず（例えば、ＰＵＣＣＨおよびＰＵＳＣＨでの同時送信がプライマリーセルに対して設定されているかどうかに関わらず）、プライマリーセルに対するタイプ２のパワーヘッドルームの値を取得してもよい。
【０１７３】
また、端末装置１は、第２のパラメータが設定されており、セカンダリーセルにおけるＰＵＣＣＨのリソースが設定されており（すなわち、ＰＵＣＣＨセカンダリーセルが設定されており）、且つ、該ＰＵＣＣＨのリソースが設定されたセカンダリーセルが活性化されている場合には、該ＰＵＣＣＨのリソースが設定されたセカンダリーセルに対するタイプ２のパワーヘッドルームの値を取得してもよい。すなわち、この場合において、端末装置１は、ＰＵＣＣＨおよびＰＵＳＣＨでの同時送信が設定されているかどうかに関わらず（例えば、ＰＵＣＣＨおよびＰＵＳＣＨでの同時送信がプライマリーセルに対して設定されているかどうかに関わらず）、プライマリーセルに対するタイプ２のパワーヘッドルームの値を取得してもよい。ここで、この場合において、第１のパラメータは設定されていなくてもよい。
【０１７４】
また、端末装置１は、第３のパラメータが設定され、且つ、ＰＵＣＣＨおよびＰＵＳＣＨでの同時送信が設定されている場合には、プライマリーセル（図３においては、スペシャルセル（Spcell: Special cell）と記載されている）に対するタイプ２のパワーヘッドルームの値を取得してもよい。すなわち、端末装置１は、第３のパラメータが設定され、且つ、ＰＵＣＣＨおよびＰＵＳＣＨでの同時送信がプライマリーセルに対して設定されている場合には、プライマリーセルに対するタイプ２のパワーヘッドルームの値を取得してもよい。ここで、この場合において、第１のパラメータは設定されていなくてもよい。また、この場合において、第２のパラメータは設定されていなくてもよい。
【０１７５】
ここで、プライマリーセルに対するタイプ２のパワーヘッドルームの値を取得するＭＡＣエンティティは、デュアルコネクティビティにおいて、プライマリーセルを含むマスターセルグループに対応するＭＡＣエンティティ（例えば、第１のＭＡＣエンティティ、第１のＭＡＣ処理部）であってもよい。
【０１７６】
また、端末装置１は、第３のパラメータが設定されている場合には、プライマリーセカンダリーセル（図３においては、もう一方のＭＡＣエンティティのスペシャルセル（SpCell of the other MAC entity）と記載されている）に対するタイプ２のパワーヘッドルームの値を取得してもよい。すなわち、この場合において、端末装置１は、ＰＵＣＣＨおよびＰＵＳＣＨでの同時送信が設定されているかどうかに関わらず（例えば、ＰＵＣＣＨおよびＰＵＳＣＨでの同時送信がプライマリーセカンダリーセルに対して設定されているかどうかに関わらず）、プライマリーセカンダリーセルに対するタイプ２のパワーヘッドルームの値を取得してもよい。
【０１７７】
ここで、プライマリーセカンダリーセルに対するタイプ２のパワーヘッドルームの値を取得するＭＡＣエンティティは、デュアルコネクティビティにおいて、プライマリーセカンダリーセルを含むセカンダリーセルグループに対応するＭＡＣエンティティ（例えば、第２のＭＡＣエンティティ、第２のＭＡＣ処理部）であってもよい。すなわち、もう一方のＭＡＣエンティティとは、第３のパラメータが設定され、且つ、ＰＵＣＣＨおよびＰＵＳＣＨでの同時送信が設定されている場合においてプライマリーセルに対するタイプ２のパワーヘッドルームの値を取得したＭＡＣエンティティではない、ＭＡＣエンティティであっってもよい。
【０１７８】
すなわち、第３のパラメータが設定され、且つ、ＰＵＣＣＨおよびＰＵＳＣＨでの同時送信が設定されている場合においてプライマリーセルに対するタイプ２のパワーヘッドルームの値を取得したＭＡＣエンティティがプライマリーセルを含むマスターセルグループに対応するＭＡＣエンティティである場合には、プライマリーセカンダリーセルに対するタイプ２のパワーヘッドルームの値を取得するＭＡＣエンティティは、プライマリーセカンダリーセルを含むセカンダリーセルグループに対応するＭＡＣエンティティであってもよい。
【０１７９】
また、第３のパラメータが設定され、且つ、ＰＵＣＣＨおよびＰＵＳＣＨでの同時送信が設定されている場合においてプライマリーセルに対するタイプ２のパワーヘッドルームの値を取得したＭＡＣエンティティがプライマリーセカンダリーセルを含むセカンダリーセルグループに対応するＭＡＣエンティティである場合には、プライマリーセカンダリーセルに対するタイプ２のパワーヘッドルームの値を取得するＭＡＣエンティティは、プライマリーセルを含むマスターセルグループに対応するＭＡＣエンティティであってもよい。
【０１８０】
図４は、本実施形態における、端末装置１における動作を説明するための別の図である。
【０１８１】
図４に示される通り、端末装置１は、第１のパラメータが設定され、且つ、セカンダリーセルにおけるＰＵＣＣＨのリソースが設定されている（すなわち、ＰＵＣＣＨセカンダリーセルが設定されている）場合には、プライマリーセルに対するタイプ２のパワーヘッドルームを取得してもよい。すなわち、この場合において、端末装置１は、ＰＵＣＣＨおよびＰＵＳＣＨでの同時送信が設定されているかどうかに関わらず（例えば、ＰＵＣＣＨおよびＰＵＳＣＨでの同時送信がプライマリーセルに対して設定されているかどうかに関わらず）、プライマリーセルに対するタイプ２のパワーヘッドルームを取得してもよい。ここで、この場合において、第２のパラメータは設定されていなくてもよい。また、この場合において、第３のパラメータは設定されていなくてもよい。
【０１８２】
また、端末装置１は、第１のパラメータが設定され、セカンダリーセルにおけるＰＵＣＣＨのリソースが設定され、且つ、該ＰＵＣＣＨのリソースが設定されたセカンダリーセルが活性化されている場合には、該ＰＵＣＣＨが設定されたセカンダリーセルに対するタイプ２のパワーヘッドルームの値を取得してもよい。すなわち、この場合において、端末装置１は、ＰＵＣＣＨおよびＰＵＳＣＨでの同時送信が設定されているかどうかに関わらず（例えば、ＰＵＣＣＨおよびＰＵＳＣＨでの同時送信が該ＰＵＣＣＨのリソースが設定されたセカンダリーセルに対して設定されているかどうかに関わらず）、該ＰＵＣＣＨのリソースが設定されたセカンダリーセルに対するタイプ２のパワーヘッドルームの値を取得してもよい。
【０１８３】
また、端末装置１は、第１のパラメータが設定され、且つ、ＰＵＣＣＨおよびＰＵＳＣＨでの同時送信が設定されている場合には、プライマリーセルに対するタイプ２のパワーヘッドルームを取得してもよい。すなわち、端末装置１は、第１のパラメータが設定され、セカンダリーセルにおけるＰＵＣＣＨのリソースが設定されておらず、ＰＵＣＣＨおよびＰＵＳＣＨでの同時送信が設定されている場合には、プライマリーセルに対するタイプ２のパワーヘッドルームを取得してもよい。すなわち、端末装置１は、第１のパラメータが設定され、セカンダリーセルにおけるＰＵＣＣＨのリソースが設定されておらず、ＰＵＣＣＨおよびＰＵＳＣＨでの同時送信がプライマリーセルに対して設定されている場合には、プライマリーセルに対するタイプ２のパワーヘッドルームを取得してもよい。ここで、この場合において、第２のパラメータは設定されていなくてもよい。また、この場合において、第３のパラメータは設定されていなくてもよい。
【０１８４】
また、端末装置１は、第３のパラメータが設定され、且つ、ＰＵＣＣＨおよびＰＵＳＣＨでの同時送信が設定されている場合には、プライマリーセル（図４においては、スペシャルセル（Spcell: Special cell）と記載されている）に対するタイプ２のパワーヘッドルームの値を取得してもよい。すなわち、端末装置１は、第３のパラメータが設定され、且つ、ＰＵＣＣＨおよびＰＵＳＣＨでの同時送信がプライマリーセルに対して設定されている場合には、プライマリーセルに対するタイプ２のパワーヘッドルームの値を取得してもよい。ここで、この場合において、第１のパラメータは設定されていなくてもよい。また、この場合において、第２のパラメータは設定されていなくてもよい。
【０１８５】
また、端末装置１は、第３のパラメータが設定されている場合には、プライマリーセカンダリーセル（図４においては、もう一方のＭＡＣエンティティのスペシャルセル（SpCell of the other MAC entity）と記載されている）に対するタイプ２のパワーヘッドルームの値を取得してもよい。すなわち、この場合において、端末装置１は、ＰＵＣＣＨおよびＰＵＳＣＨでの同時送信が設定されているかどうかに関わらず（例えば、ＰＵＣＣＨおよびＰＵＳＣＨでの同時送信がプライマリーセカンダリーセルに対して設定されているかどうかに関わらず）、プライマリーセカンダリーセルに対するタイプ２のパワーヘッドルームの値を取得してもよい。
【０１８６】
ここで、図４における、スペシャルセル、および、もう一方のＭＡＣエンティティのスペシャルセルは、図３と同様であるので、その説明を省略する。
【０１８７】
図５は、本実施形態における、端末装置１における動作を説明するための別の図である。
【０１８８】
図５に示される通り、端末装置１は、第１のパラメータが設定され、且つ、ＰＵＣＣＨおよびＰＵＳＣＨでの同時送信が設定されている場合には、プライマリーセルに対するタイプ２のパワーヘッドルームを取得してもよい。すなわち、端末装置１は、第１のパラメータが設定され、且つ、ＰＵＣＣＨおよびＰＵＳＣＨでの同時送信がプライマリーセルに対して設定されている場合には、プライマリーセルに対するタイプ２のパワーヘッドルームを取得してもよい。ここで、この場合において、第２のパラメータは設定されていなくてもよい。また、この場合において、第３のパラメータは設定されていなくてもよい。
【０１８９】
また、端末装置１は、第３のパラメータが設定され、且つ、ＰＵＣＣＨおよびＰＵＳＣＨでの同時送信が設定されている場合には、プライマリーセル（図４においては、スペシャルセル（Spcell: Special cell）と記載されている）に対するタイプ２のパワーヘッドルームを取得してもよい。すなわち、端末装置１は、第１のパラメータが設定され、且つ、ＰＵＣＣＨおよびＰＵＳＣＨでの同時送信がプライマリーセルに対して設定されている場合には、プライマリーセルに対するタイプ２のパワーヘッドルームを取得してもよい。ここで、この場合において、第１のパラメータは設定されていなくてもよい。また、この場合において、第２のパラメータは設定されていなくてもよい。
【０１９０】
また、端末装置１は、第３のパラメータが設定され、且つ、セカンダリーセルにおけるＰＵＣＣＨのリソースが設定された（すなわち、ＰＵＣＣＨセカンダリーセルが設定された）場合には、プライマリーセル（図５においては、スペシャルセル（Spcell: Special cell）と記載されている）に対するタイプ２のパワーヘッドルームを取得してもよい。すなわち、この場合において、端末装置１は、ＰＵＣＣＨおよびＰＵＳＣＨでの同時送信が設定されているかどうかに関わらず（例えば、ＰＵＣＣＨおよびＰＵＳＣＨでの同時送信がプライマリーセルに対して設定されているかどうかに関わらず）、プライマリーセルに対するタイプ２のパワーヘッドルームを取得してもよい。ここで、この場合において、第１のパラメータは設定されていなくてもよい。また、この場合において、第２のパラメータは設定されていなくてもよい。
【０１９１】
ここで、端末装置１は、第３のパラメータが設定され、且つ、２つのＭＡＣエンティティが設定された場合には、プライマリーセカンダリーセル（図５においては、もう一方のＭＡＣエンティティのスペシャルセル（SpCell of the other MAC
entity）と記載されている）に対するタイプ２のパワーヘッドルームの値を取得してもよい。すなわち、この場合において、端末装置１は、ＰＵＣＣＨおよびＰＵＳＣＨでの同時送信が設定されているかどうかに関わらず（例えば、ＰＵＣＣＨおよびＰＵＳＣＨでの同時送信がプライマリーセカンダリーセルに対して設定されているかどうかに関わらず）、プライマリーセカンダリーセルに対するタイプ２のパワーヘッドルームの値を取得してもよい。
【０１９２】
ここで、図５における、スペシャルセル、および、もう一方のＭＡＣエンティティのスペシャルセルは、図３と同様であるので、その説明を省略する。
【０１９３】
また、端末装置１は、第３のパラメータが設定され、且つ、セカンダリーセルにおけるＰＵＣＣＨのリソースが設定された（すなわち、ＰＵＣＣＨセカンダリーセルが設定された）場合には、該ＰＵＣＣＨのリソースが設定されたセカンダリーセルに対するタイプ２のパワーヘッドルームの値を取得してもよい。すなわち、この場合において、端末装置１は、ＰＵＣＣＨおよびＰＵＳＣＨでの同時送信が設定されているかどうかに関わらず（例えば、ＰＵＣＣＨおよびＰＵＳＣＨでの同時送信が該ＰＵＣＣＨのリソースが設定されたセカンダリーセルに対して設定されているかどうかに関わらず）、該ＰＵＣＣＨのリソースが設定されたセカンダリーセルに対するタイプ２のパワーヘッドルームの値を取得してもよい。
【０１９４】
また、端末装置１は、第３のパラメータが設定され、且つ、セカンダリーセルにおけるＰＵＣＣＨのリソースが設定され、且つ、該ＰＵＣＣＨのリソースが設定されたセカンダリーセルが活性化された場合には、該ＰＵＣＣＨのリソースが設定されたセカンダリーセルに対するタイプ２のパワーヘッドルームの値を取得してもよい。すなわち、この場合において、端末装置１は、ＰＵＣＣＨおよびＰＵＳＣＨでの同時送信が設定されているかどうかに関わらず（例えば、ＰＵＣＣＨおよびＰＵＳＣＨでの同時送信が該ＰＵＣＣＨのリソースが設定されたセカンダリーセルに対して設定されているかどうかに関わらず）、該ＰＵＣＣＨのリソースが設定されたセカンダリーセルに対するタイプ２のパワーヘッドルームの値を取得してもよい。
【０１９５】
すなわち、端末装置１における１つのＭＡＣエンティティが、第４のパラメータが設定されているかどうかに関わらず、プライマリーセルに対するタイプ２のパワーヘッドルーム、および、セカンダリーセルに対するタイプ２のパワーヘッドルームを取得してもよい。
【０１９６】
以下、本実施形態における装置の構成について説明する。
【０１９７】
図６は、本実施形態における端末装置１の構成を示す概略ブロック図である。図に示すように、端末装置１は、上位層処理部１０１、制御部１０３、受信部１０５、送信部１０７と送受信アンテナ部１０９を含んで構成される。また、上位層処理部１０１は、無線リソース制御部１０１１、スケジューリング情報解釈部１０１３、および、ＭＡＣ処理部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０１９８】
上位層処理部１０１は、ユーザーの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１９９】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。無線リソース制御部１０１１を設定部１０１１とも称する。
【０２００】
ここで、上位層処理部１０１が備えるスケジューリング情報解釈部１０１３は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【０２０１】
また、上位層処理部１０１が備えるＭＡＣ処理部１０１５は、無線リソース制御部１０１１によって管理されている各種設定情報／パラメータ、ＴＰＣコマンドなどに基づいて、ＰＵＳＣＨおよびＰＵＣＣＨでの送信に対する送信電力の制御を行う。また、ＭＡＣ処理部１０１５は、パワーヘッドルームの報告に関わる処理を行なう。ここで、ＭＡＣ処理部１０１５に、第１のＭＡＣ処理部、および、第２のＭＡＣ処理部が含まれてもよい。また、ＭＡＣ処理部１０１５は１つのように図示されているが、第１のＭＡＣ処理部１０１５、第２のＭＡＣ処理部１０１５のように、２つのＭＡＣ処理部であってもよい。
【０２０２】
また、制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０２０３】
また、受信部１０５は、制御部１０３から入力された制御信号に従って、送受信アンテナ部１０９を介して基地局装置３から受信した受信信号を、分離、復調、復号し、復号した情報を上位層処理部１０１に出力する。
【０２０４】
また、無線受信部１０５７は、送受信アンテナ部１０９を介して受信した下りリンクの信号を、直交復調によりベースバンド信号に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０２０５】
また、多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【０２０６】
また、復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【０２０７】
また、復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０２０８】
また、チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩ（ＣＳＩでもよい）の算出のために、チャネル測定、および／または、干渉測定を行なう。
【０２０９】
また、送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。また、送信部１０７は、上りリンク制御情報を送信する。
【０２１０】
また、符号化部１０７１は、上位層処理部１０１から入力された上りリンク制御情報を畳み込み符号化、ブロック符号化等の符号化を行う。また、符号化部１０７１は、ＰＵＳＣＨのスケジューリングに用いられる情報に基づきターボ符号化を行なう。
【０２１１】
また、変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【０２１２】
また、上りリンク参照信号生成部１０７９は、基地局装置３を識別するための物理レイヤセル識別子（physical layer cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０２１３】
また、無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【０２１４】
図７は、本実施形態における基地局装置３の構成を示す概略ブロック図である。図に示すように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、スケジューリング部３０１３、および、ＭＡＣ処理部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０２１５】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０２１６】
また、上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報／パラメータの管理をする。無線リソース制御部３０１１は、上位層の信号を介して端末装置１各々に対して各種設定情報／パラメータをセットしてもよい。すなわち、無線リソース制御部１０１１は、各種設定情報／パラメータを示す情報を送信／報知する。無線リソース制御部３０１１を設定部３０１１とも称する。
【０２１７】
また、上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０２１８】
また、上位層処理部３０１が備える送信電力制御部３０１５は、無線リソース制御部３０１１によって管理されている各種設定情報／パラメータ、ＴＰＣコマンドなどを介して、端末装置１によるＰＵＳＣＨおよびＰＵＣＣＨでの送信に対する送信電力の制御を行う。また、ＭＡＣ処理部３０１５は、パワーヘッドルームの報告に関わる処理を行なう。ここで、ＭＡＣ処理部３０１５に、第１のＭＡＣ処理部、および、第２のＭＡＣ処理部が含まれてもよい。また、ＭＡＣ処理部３０１５は１つのように図示されているが、第１のＭＡＣ処理部３０１５、第２のＭＡＣ処理部３０１５のように、２つのＭＡＣ処理部であってもよい。
【０２１９】
また、制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０２２０】
また、受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート:  down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。また、受信部３０５は、上りリンク制御情報を受信する。
【０２２１】
また、無線受信部３０５７は、変換したディジタル信号からＣＰ（Cyclic Prefix）に相当する部分を除去する。無線受信部３０５７は、ＣＰを除去した信号に対して高速フーリエ変換（Fast Fourier Transform: FFT）を行い、周波数領域の信号を抽出し多重分離部３０５５に出力する。
【０２２２】
また、多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０２２３】
また、復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０２２４】
また、復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０２２５】
また、送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ部３０９を介して端末装置１に信号を送信する。
【０２２６】
また、符号化部３０７１は、上位層処理部３０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０２２７】
また、下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０２２８】
また、無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【０２２９】
より具体的には、本実施形態における端末装置１は、第１のＭＡＣコントロールエレメントを用いてパワーヘッドルームを報告することを示すために用いられる第１のパラメータ（extended-PHR）を受信し、第２のＭＡＣコントロールエレメントを用いてパワーヘッドルームを報告することを示すために用いられる第２のパラメータ（ScellPUCCH-PHR）を受信する受信部１０５と、タイプ２のパワーヘッドルームを取得する第１のＭＡＣ処理部１０１５と、を備え、前記第１のＭＡＣ処理部１０１５は、前記第１のパラメータ（extended-PHR）が設定されており、且つ、物理上りリンク制御チャネル（ＰＵＣＣＨ）および物理上りリンク共用チャネル（ＰＵＳＣＨ）での同時送信が設定されている場合には、プライマリーセルに対する前記タイプ２のパワーヘッドルームの値を取得し、前記第２のパラメータ（ScellPUCCH-PHR）が設定されている場合には、物理上りリンク制御チャネル（ＰＵＣＣＨ）および物理上りリンク共用チャネル（ＰＵＳＣＨ）での同時送信が設定されているかどうかに関わらず、前記プライマリーセルに対する前記タイプ２のパワーヘッドルームの値を取得する。
【０２３０】
また、本実施形態における端末装置１は、第１のＭＡＣコントロールエレメントを用いてパワーヘッドルームを報告することを示すために用いられる第１のパラメータ（extended-PHR）を受信し、セカンダリーセルにおける物理上りリンク制御チャネル（ＰＵＣＣＨ）のリソースを設定するために用いられる情報を受信する受信部１０５と、タイプ２のパワーヘッドルームを取得する第１のＭＡＣ処理部１０１５と、を備え、前記第１のＭＡＣ処理部１０１５は、前記第１のパラメータ（extended-PHR）が設定され、且つ、前記セカンダリーセルにおける物理上りリンク制御チャネル（ＰＵＣＣＨ）のリソースが設定されている場合には、物理上りリンク制御チャネル（ＰＵＣＣＨ）および物理上りリンク共用チャネル（ＰＵＳＣＨ）での同時送信が設定されているかどうかに関わらず、プライマリーセルに対する前記タイプ２のパワーヘッドルームの値を取得し、前記第１のパラメータ（extended-PHR）が設定され、前記セカンダリーセルにおける物理上りリンク制御チャネル（ＰＵＣＣＨ）のリソースが設定され、且つ、前記セカンダリーセルが活性化されている場合には、物理上りリンク制御チャネル（ＰＵＣＣＨ）および物理上りリンク共用チャネル（ＰＵＳＣＨ）での同時送信が設定されているかどうかに関わらず、前記セカンダリーセルに対する前記タイプ２のパワーヘッドルームの値を取得し、前記第１のパラメータ（extended-PHR）が設定され、前記セカンダリーセルにおける物理上りリンク制御チャネル（ＰＵＣＣＨ）のリソースが設定されておらず、且つ、物理上りリンク制御チャネル（ＰＵＣＣＨ）および物理上りリンク共用チャネル（ＰＵＳＣＨ）での同時送信が設定されている場合には、前記プライマリーセルに対する前記タイプ２のパワーヘッドルームの値を取得する。
【０２３１】
ここで、前記受信部１０５は、セカンダリーセルにおける物理上りリンク制御チャネル（ＰＵＣＣＨ）のリソースを設定するために用いられる情報を受信し、前記第１のＭＡＣ処理部１０１５は、前記第２のパラメータ（ScellPUCCH-PHR）が設定されており、前記セカンダリーセルにおける物理上りリンク制御チャネル（ＰＵＣＣＨ）のリソースが設定されており、且つ、前記セカンダリーセルが活性化されている場合には、物理上りリンク制御チャネル（ＰＵＣＣＨ）および物理上りリンク共用チャネル（ＰＵＳＣＨ）での同時送信が設定されているかどうかに関わらず、前記セカンダリーセルに対する前記タイプ２のパワーヘッドルームの値を取得する。
【０２３２】
また、前記受信部１０５は、第３のＭＡＣコントロールエレメントを用いてパワーヘッドルームを報告することを示すために用いられる第３のパラメータ（dualconnectivity-PHR）を受信し、前記第１のＭＡＣ処理部１０１５は、第３のパラメータ（dualconnectivity-PHR）が設定されており、且つ、物理上りリンク制御チャネル（ＰＵＣＣＨ）および物理上りリンク共用チャネル（ＰＵＳＣＨ）での同時送信が設定されている場合には、前記プライマリーセルに対する前記タイプ２のパワーヘッドルームの値を取得し、前記第１のＭＡＣ処理部１０１５は、デュアルコネクティビティにおいて、前記プライマリーセルを含むマスターセルグループに対応する。
【０２３３】
また、前記デュアルコネクティビティにおいて、プライマリーセカンダリーセルを含むセカンダリーセルグループに対応する第２のＭＡＣ処理部１０１５を備え、前記第２のＭＡＣ処理部１０１５は、前記第３のパラメータが設定されており、且つ、物理上りリンク制御チャネル（ＰＵＣＣＨ）および物理上りリンク共用チャネル（ＰＵＳＣＨ）での同時送信が設定されている場合には、前記プライマリーセカンダリーセルに対する前記タイプ２のパワーヘッドルームの値を取得し、前記プライマリーセカンダリーセルは、物理上りリンク制御チャネル（ＰＵＣＣＨ）での送信およびコンテンションベースのランダムアクセスをサポートする。
【０２３４】
また、前記プライマリーセルを含むマスターセルグループに対応する前記第１のＭＡＣ処理部１０１５は、前記第３のパラメータ（dualconnectivity-PHR）が設定されている場合には、物理上りリンク制御チャネル（ＰＵＣＣＨ）および物理上りリンク共用チャネル（ＰＵＳＣＨ）での同時送信が設定されているかどうかに関わらず、前記第２のＭＡＣ処理部に対応する前記プライマリーセカンダリーセルに対する前記タイプ２のパワーヘッドルームの値を取得する。
【０２３５】
また、前記プライマリーセカンダリーセルを含むセカンダリーセルグループに対応する前記第２のＭＡＣ処理部１０１５は、前記第３のパラメータ（dualconnectivity-PHR）が設定されている場合には、物理上りリンク制御チャネル（ＰＵＣＣＨ）および物理上りリンク共用チャネル（ＰＵＳＣＨ）での同時送信が設定されているかどうかに関わらず、前記第１のＭＡＣ処理部に対応する前記プライマリーセルに対する前記タイプ２のパワーヘッドルームの値を取得する。
【０２３６】
ここで、前記第１のＭＡＣコントロールエレメントは、論理チャネルＩＤの第１の値によって識別され、前記第２のＭＡＣコントロールエレメントは、前記論理チャネルＩＤの第２の値によって識別され、前記第３のＭＡＣコントロールエレメントは、前記論理チャネルＩＤの第３の値によって識別される。
【０２３７】
また、本実施形態における基地局装置３は、第１のＭＡＣコントロールエレメントを用いてパワーヘッドルームを報告することを示すために用いられる第１のパラメータ（extended-PHR）を送信し、第２のＭＡＣコントロールエレメントを用いてパワーヘッドルームを報告することを示すために用いられる第２のパラメータ（ScellPUCCH-PHR）を送信する送信部３０７と、タイプ２のパワーヘッドルームを受信する第１のＭＡＣ処理部３０１５と、を備え、前記第１のＭＡＣ処理部３０１５は、前記第１のパラメータ（extended-PHR）を設定し、且つ、物理上りリンク制御チャネル（ＰＵＣＣＨ）および物理上りリンク共用チャネル（ＰＵＳＣＨ）での同時送信を設定した場合には、プライマリーセルに対する前記タイプ２のパワーヘッドルームの値を受信し、前記第２のパラメータ（ScellPUCCH-PHR）を設定した場合には、物理上りリンク制御チャネル（ＰＵＣＣＨ）および物理上りリンク共用チャネル（ＰＵＳＣＨ）での同時送信を設定したかどうかに関わらず、前記プライマリーセルに対する前記タイプ２のパワーヘッドルームの値を受信する。
【０２３８】
また、本実施形態における基地局装置３は、第１のＭＡＣコントロールエレメントを用いてパワーヘッドルームをレポートすることを示すために用いられる第１のパラメータ（extended-PHR）を送信し、セカンダリーセルにおける物理上りリンク制御チャネル（ＰＵＣＣＨ）のリソースを設定するために用いられる情報を送信する送信部３０７と、タイプ２のパワーヘッドルームを受信する第１のＭＡＣ処理部３０１５と、を備え、前記第１のＭＡＣ処理部３０１５は、前記第１のパラメータ（extended-PHR）を設定し、且つ、前記セカンダリーセルにおける物理上りリンク制御チャネル（ＰＵＣＣＨ）のリソースを設定した場合には、物理上りリンク制御チャネル（ＰＵＣＣＨ）および物理上りリンク共用チャネル（ＰＵＳＣＨ）での同時送信を設定したかどうかに関わらず、プライマリーセルに対する前記タイプ２のパワーヘッドルームの値を受信し、前記第１のパラメータ（extended-PHR）を設定し、前記セカンダリーセルにおける物理上りリンク制御チャネル（ＰＵＣＣＨ）のリソースを設定し、且つ、前記セカンダリーセルを活性化した場合には、物理上りリンク制御チャネル（ＰＵＣＣＨ）および物理上りリンク共用チャネル（ＰＵＳＣＨ）での同時送信を設定したかどうかに関わらず、前記セカンダリーセルに対する前記タイプ２のパワーヘッドルームの値を受信し、前記第１のパラメータ（extended-PHR）を設定し、前記セカンダリーセルにおける物理上りリンク制御チャネル（ＰＵＣＣＨ）のリソースを設定せず、且つ、物理上りリンク制御チャネル（ＰＵＣＣＨ）および物理上りリンク共用チャネル（ＰＵＳＣＨ）での同時送信を設定した場合には、前記プライマリーセルに対する前記タイプ２のパワーヘッドルームの値を受信する。
【０２３９】
ここで、前記送信部３０７は、セカンダリーセルにおける物理上りリンク制御チャネル（ＰＵＣＣＨ）のリソースを設定するために用いられる情報を送信し、前記第１のＭＡＣ処理部３０１５は、前記第２のパラメータ（ScellPUCCH-PHR）を設定し、前記セカンダリーセルにおける物理上りリンク制御チャネル（ＰＵＣＣＨ）のリソースを設定し、且つ、前記セカンダリーセルを活性化した場合には、物理上りリンク制御チャネル（ＰＵＣＣＨ）および物理上りリンク共用チャネル（ＰＵＳＣＨ）での同時送信を設定したかどうかに関わらず、前記セカンダリーセルに対する前記タイプ２のパワーヘッドルームの値を受信する。
【０２４０】
また、前記送信部３０７は、第３のＭＡＣコントロールエレメントを用いてパワーヘッドルームを報告することを示すために用いられる第３のパラメータ（dualconnectivity-PHR）を送信し、前記第１のＭＡＣ処理部３０１５は、前記第３のパラメータ（dualconnectivity-PHR）を設定し、且つ、物理上りリンク制御チャネル（ＰＵＣＣＨ）および物理上りリンク共用チャネル（ＰＵＳＣＨ）での同時送信を設定した場合には、前記プライマリーセルに対する前記タイプ２のパワーヘッドルームの値を受信し、前記第１のＭＡＣ処理部３０１５は、デュアルコネクティビティにおいて、前記プライマリーセルを含むマスターセルグループに対応する。
【０２４１】
また、前記デュアルコネクティビティにおいて、プライマリーセカンダリーセルを含むセカンダリーセルグループに対応する第２のＭＡＣ処理部３０１５を備え、前記第２のＭＡＣ処理部３０１５は、第３のパラメータ（dualconnectivity-PHR）を設定し、且つ、物理上りリンク制御チャネル（ＰＵＣＣＨ）および物理上りリンク共用チャネル（ＰＵＳＣＨ）での同時送信を設定した場合には、前記プライマリーセカンダリーセルに対する前記タイプ２のパワーヘッドルームの値を受信し、前記プライマリーセカンダリーセルは、物理上りリンク制御チャネル（ＰＵＣＣＨ）での送信およびコンテンションベースのランダムアクセスをサポートする。
【０２４２】
また、前記プライマリーセルを含むマスターセルグループに対応する前記第１のＭＡＣ処理部３０１５は、前記第３のパラメータ（dualconnectivity-PHR）を設定した場合には、物理上りリンク制御チャネル（ＰＵＣＣＨ）および物理上りリンク共用チャネル（ＰＵＳＣＨ）での同時送信を設定したかどうかに関わらず、前記第２のＭＡＣ処理部に対応する前記プライマリーセカンダリーセルに対する前記タイプ２のパワーヘッドルームの値を受信する。
【０２４３】
また、前記プライマリーセカンダリーセルを含むセカンダリーセルグループに対応する前記第２のＭＡＣ処理部３０１５は、前記第３のパラメータ（dualconnectivity-PHR）を設定した場合には、物理上りリンク制御チャネル（ＰＵＣＣＨ）および物理上りリンク共用チャネル（ＰＵＳＣＨ）での同時送信を設定したかどうかに関わらず、前記第１のＭＡＣ処理部に対応する前記プライマリーセルに対する前記タイプ２のパワーヘッドルームの値を受信する。
【０２４４】
ここで、前記第１のＭＡＣコントロールエレメントは、論理チャネルＩＤの第１の値によって識別され、前記第２のＭＡＣコントロールエレメントは、前記論理チャネルＩＤの第２の値によって識別され、前記第３のＭＡＣコントロールエレメントは、前記論理チャネルＩＤの第３の値によって識別される。
【０２４５】
上述のように、パワーヘッドルームの報告が行われることによって、デュアルコネクティビにおいて、基地局装置３におけるマスターセルグループに対応するＭＡＣエンティティが、マスターセルグループにおけるＰＵＳＣＨでの送信、および、セカンダリーセルグループにおけるＰＵＣＣＨでの送信が行なわれるサブフレームにおける、マスターセルグループにおけるＰＵＳＣＨでの送信をスケジュールするために、セカンダリーセルグループに対するタイプ２のパワーヘッドルームの報告を利用することができる。
【０２４６】
また、上述のように、パワーヘッドルームの報告が行われることによって、デュアルコネクティビにおいて、基地局装置３におけるセカンダリーセルグループに対応するＭＡＣエンティティが、マスターセルグループにおけるＰＵＣＣＨでの送信、および、セカンダリーセルグループにおけるＰＵＳＣＨでの送信が行なわれるサブフレームにおける、セカンダリーセルグループにおけるＰＵＳＣＨでの送信をスケジュールするために、マスターセルグループに対するタイプ２のパワーヘッドルームの報告を利用することができる。
【０２４７】
また、上述のように、パワーヘッドルームの報告が行われることによって、ＰＵＣＣＨセカンダリーセルが設定された場合において、基地局装置３における１つのＭＡＣエンティティが、プライマリーセルにおけるＰＵＳＣＨでの送信、および、セカンダリーセルにおけるＰＵＣＣＨでの送信が行なわれるサブフレームにおける、プライマリーセルにおけるＰＵＳＣＨでの送信をスケジュールするために、セカンダリーセルに対するタイプ２のパワーヘッドルームの報告を利用することができる。
【０２４８】
また、上述のように、パワーヘッドルームの報告が行われることによって、ＰＵＣＣＨセカンダリーセルが設定された場合において、基地局装置３における１つのＭＡＣエンティティが、プライマリーセルにおけるＰＵＣＣＨでの送信、および、セカンダリーセルにおけるＰＵＳＣＨでの送信が行なわれるサブフレームにおける、セカンダリーセルにおけるＰＵＳＣＨでの送信をスケジュールするために、プライマリーセルに対するタイプ２のパワーヘッドルームの報告を利用することができる。
【０２４９】
これにより、送信電力に関わる処理を効率的に実行することができる。
【０２５０】
以上、送信電力に関わる方法／処理について、図面を参照して記述してきたが、具体的な構成は上述の記載に限られるものではなく、この発明の要旨を逸脱しない範囲の設計変更等も含まれる。また、本実施形態は、上述に記載の方法／処理を適宜組み合わせて得られる実施形態についても本発明の技術的範囲に含まれる。
【０２５１】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０２５２】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２５３】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２５４】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２５５】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２５６】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２５７】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２５８】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２５９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２６０】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  ＭＡＣ処理部
３０１１  無線リソース制御部
３０１３  スケジューリング部
３０１５  ＭＡＣ処理部
【図１】
2017022617.tif 000020
【図２】
2017022617.tif 000021
【図３】
2017022617.tif 000022
【図４】
2017022617.tif 000023
【図５】
2017022617.tif 000024
【図６】
2017022617.tif 000025
【図７】
2017022617.tif 000026
【国際調査報告】
2017022617.tif 000027
2017022617.tif 000028